(57)【要約】      （修正有）【課題】無線ローカルエリアネットワークのチャネルアクセス処理方法を提供する。【解決手段】方法は、無線ローカルエリアネットワークの局がバックオフカウンタ値を生成する段階と、局が、第１のトリガフレームを受信した後に、バックオフの処理を実行する段階であって、バックオフの処理は、ランダムアクセス用のサブチャネルの数Ｎをバックオフカウンタ値から差し引いて、新たなバックオフカウンタ値を取得する段階を含む、実行する段階と、新たなバックオフカウンタ値が０又は負の数である場合、局がランダムアクセス用のサブチャネルから１つのサブチャネルをランダムに選択し、当該サブチャネルにアクセスしてアップリンクフレームを送信する段階とを含む。さらに、対応するチャネルアクセス装置を提供する。【効果】システムのアクセス効率が改善され、システムリソースの無駄が避けられる。【選択図】図２
2020061775.tif 000002
【特許請求の範囲】
【請求項１】
無線ローカルエリアネットワークに適用されるチャネルアクセス方法であって、
Ａ．局がバックオフカウンタ値を生成する段階であって、前記バックオフカウンタ値は、０以上ＣＷｏ以下の範囲からランダムに選択され、ＣＷｏは、直交周波数分割多元接続ＯＦＤＭＡサブチャネル競合のコンテンションウィンドウであり、ＣＷｏは０より大きい整数である、生成する段階と、
Ｂ．前記局が第１のトリガフレームを受信する段階であって、前記第１のトリガフレームはアクセスポイントによって送信され、前記第１のトリガフレームは、ランダムアクセス用のサブチャネルの数がＮであることを示し、Ｎは０より大きい又は０に等しい整数である、受信する段階と、
Ｃ．前記局がバックオフを実行する段階であって、前記バックオフの処理は、前記バックオフカウンタ値から、ランダムアクセス用の前記サブチャネルの数Ｎを差し引いて、新たなバックオフカウンタ値を取得する段階と、前記新たなバックオフカウンタ値が０又は負の数である場合は段階Ｄを実行し、又は前記新たなバックオフカウンタ値が０より大きい場合は段階Ｂを実行する段階とを含む、実行する段階と、
Ｄ．前記局がチャネルアクセスを実行する段階であって、前記局が、ランダムアクセス用の前記サブチャネルから１つのサブチャネルをランダムに選択して、アップリンクフレームを送信する段階を含む、実行する段階と
を備える、方法。
【請求項２】
前記局がチャネルアクセスを前記実行する段階はさらに、
前記局が前記アップリンクフレームの送信に失敗した場合、前記局が第２のトリガフレームを受信する段階であって、前記第２のトリガフレームは前記アクセスポイントによって送信され、前記第２のトリガフレームはコンテンションウィンドウ調整用のパラメータ又は目標ＣＷｏ値を含む、受信する段階と、
前記局が、前記第２のトリガフレームを解析した後に、ＣＷｏを調整する段階と
を含む、請求項１に記載の方法。
【請求項３】
前記局が、前記第２のトリガフレームを解析した後に、ＣＷｏを前記調整する段階は、具体的には、
コンテンションウィンドウ調整用の前記パラメータを事前設定された閾値と比較する段階と、
前記パラメータが前記閾値より大きい場合はＣＷｏを増やし、又は、
前記パラメータが前記閾値より小さい若しくはそれと等しい場合はＣＷｏを変えずに維持する段階とを含む、請求項２に記載の方法。
【請求項４】
前記局が、前記第２のトリガフレームを解析した後に、ＣＷｏを前記調整する段階は、具体的には、
コンテンションウィンドウ調整用の前記パラメータを事前設定された２つの閾値と比較する段階と、
前記パラメータが第１の閾値より大きい場合はＣＷｏを増やし、
前記パラメータが第２の閾値より大きい且つ前記第１の閾値より小さい若しくはそれと等しい場合はＣＷｏを変えずに維持し、又は、
前記パラメータが前記第２の閾値より小さい若しくはそれと等しい場合はＣＷｏを減らす段階とを含む、請求項２に記載の方法。
【請求項５】
前記局が、前記第２のトリガフレームを解析した後に、ＣＷｏを前記調整する段階は、具体的には、
前記局が調整前のＣＷｏ値を前記目標ＣＷｏ値と比較する段階と、
ＣＷｏが前記目標ＣＷｏ値より大きい場合はＣＷｏを減らし、
ＣＷｏが前記目標ＣＷｏ値と等しい場合はＣＷｏを変えずに維持し、又は、
ＣＷｏが前記目標ＣＷｏ値より小さい場合はＣＷｏを増やす段階とを含む、請求項２に記載の方法。
【請求項６】
無線ローカルエリアネットワークに適用されるチャネルアクセス方法であって、
Ａ．局がバックオフカウンタ値を生成する段階と、
Ｂ．前記局がバックオフを実行し、前記バックオフカウンタ値を更新する段階であって、具体的には、
Ｂ１．前記局が、フレーム間隔ＸＩＦＳの間にチャネルがアイドル状態であることを検出した後に、搬送波感知多元接続／衝突回避ＣＳＭＡ／ＣＡ方式を用いることでバックオフを実行する段階、又は、
Ｂ２．前記局が、第１のトリガフレームを受信した後に、ＯＦＤＭＡ競合方式に従ってバックオフを実行する段階であって、前記第１のトリガフレームはランダムアクセス用のサブチャネルの数Ｎを示し、Ｎは０より大きい又は０に等しい整数である、実行する段階を含み、
段階Ｂ１及び段階Ｂ２では、同じバックオフカウンタを用いることでバックオフが実行され、更新された前記バックオフカウンタ値が０又は負の数である場合は段階Ｃが実行され、更新された前記バックオフカウンタ値が０より大きい場合は段階Ｂが実行される、更新する段階と、
Ｃ．前記局がチャネルアクセスを実行する段階であって、具体的には、
段階Ｂ１を実行することで前記バックオフカウンタ値が０に減らされた場合、前記局がチャネル全体を用いることでアップリンクフレームを送信する段階、又は、
段階Ｂ２を実行することで前記バックオフカウンタ値が０又は負の数に減らされた場合、前記局が、ランダムアクセス用のサブチャネルにアクセスした後に、アップリンクフレームを送信する段階
を含む、実行する段階と
を備える方法。
【請求項７】
前記局が、第１のトリガフレームを受信した後に、ＯＦＤＭＡ競合方式に従ってバックオフを前記実行する段階は、
前記局が、前記第１のトリガフレームを受信した後に、前記バックオフカウンタ値をβＮだけ減らす段階を含み、βは０より大きい又は０に等しい実数である、請求項６に記載の方法。
【請求項８】
前記局が、第１のトリガフレームを受信した後に、ＯＦＤＭＡ競合方式に従ってバックオフを前記実行する段階は、
前記局が、前記第１のトリガフレームを受信した後に、前記バックオフカウンタ値を１だけ減らす段階を含む、請求項６に記載の方法。
【請求項９】
前記局が、第１のトリガフレームを受信した後に、ＯＦＤＭＡ競合方式に従ってバックオフを前記実行する段階は、
前記局が、前記第１のトリガフレームを受信した後に、前記局が前記第１のトリガフレームから利用可能なサブチャネルを読み出すたびに、前記バックオフカウンタ値を１だけ減らす段階を含む、請求項６に記載の方法。
【請求項１０】
前記局が、サブチャネルにアクセスした後に、アップリンクフレームを前記送信する段階は、
前記局が、ランダムアクセス用の前記サブチャネルから１つのサブチャネルをランダムに選択して、前記アップリンクフレームを送信する段階、又は、
前記局が、前記バックオフカウンタ値がちょうど０に減らされたサブチャネルを選択して、前記アップリンクフレームを送信する段階
を含む、請求項６から９のいずれか一項に記載の方法。
【請求項１１】
前記局が、フレーム間隔ＸＩＦＳの間にチャネルがアイドル状態であることを検出した後に、搬送波感知多元接続／衝突回避ＣＳＭＡ／ＣＡ方式を用いることでバックオフを前記実行する段階は、
前記局が、フレーム間隔ＸＩＦＳの間にチャネルがアイドル状態であることを検出した後に、１つのタイムスロットの間に前記チャネルがアイドル状態である場合、チャネル状態がビジーに変わるまで、又は前記バックオフカウンタ値が０に減らされるまで、前記バックオフカウンタ値をαだけ減らす段階を含み、αは０より大きい又は０に等しい実数である、請求項６から１０のいずれか一項に記載の方法。
【請求項１２】
前記局がチャネルアクセスを前記実行する段階はさらに、
前記局が前記アップリンクフレームの送信に失敗した場合、前記局が第２のトリガフレームを受信する段階であって、前記第２のトリガフレームはアクセスポイントによって送信され、前記第２のトリガフレームは、コンテンションウィンドウ調整用のパラメータ又は目標コンテンションウィンドウＣＷｏ値を含む、受信する段階と、
前記局が、前記第２のトリガフレームを解析した後に、ＣＷｏを調整する段階であって、ＣＷｏは直交周波数分割多元接続ＯＦＤＭＡサブチャネル競合のコンテンションウィンドウである、調整する段階と
を含む、請求項１１に記載の方法。
【請求項１３】
前記局が、前記第２のトリガフレームを解析した後に、コンテンションウィンドウＣＷｏを前記調整する段階は、具体的には、
コンテンションウィンドウ調整用の前記パラメータを事前設定された閾値と比較する段階と、
前記パラメータが前記閾値より大きい場合はＣＷｏを増やし、又は、
前記パラメータが前記閾値より小さい若しくはそれと等しい場合はＣＷｏを変えずに維持する段階とを含む、請求項１２に記載の方法。
【請求項１４】
前記局が、前記第２のトリガフレームを解析した後に、コンテンションウィンドウＣＷｏを前記調整する段階は、具体的には、
コンテンションウィンドウ調整用の前記パラメータを事前設定された２つの閾値と比較する段階と、
前記パラメータが第１の閾値より大きい場合はＣＷｏを増やし、
前記パラメータが第２の閾値より大きい且つ前記第１の閾値より小さい若しくはそれと等しい場合はＣＷｏを変えずに維持し、又は、
前記パラメータが前記第２の閾値より小さい若しくはそれと等しい場合はＣＷｏを減らす段階とを含む、請求項１２に記載の方法。
【請求項１５】
前記局が、前記第２のトリガフレームを解析した後に、コンテンションウィンドウＣＷｏを前記調整する段階は、具体的には、
前記局が調整前のＣＷｏ値を前記目標ＣＷｏ値と比較する段階と、
ＣＷｏが前記目標ＣＷｏ値より大きい場合はＣＷｏを減らし、
ＣＷｏが前記目標ＣＷｏ値と等しい場合はＣＷｏを変えずに維持し、又は、
ＣＷｏが前記目標ＣＷｏ値より小さい場合はＣＷｏを増やす段階とを含む、請求項１２に記載の方法。
【請求項１６】
無線ローカルエリアネットワークに適用されるチャネルアクセス装置であって、
バックオフカウンタ値を生成するように構成された生成ユニットであって、前記バックオフカウンタ値は０以上ＣＷｏ以下の範囲からランダムに選択され、ＣＷｏは直交周波数分割多元接続ＯＦＤＭＡサブチャネル競合のコンテンションウィンドウであり、ＣＷｏは０より大きい整数である、生成ユニットと、
バックオフを実行するように構成されたバックオフユニットであって、前記バックオフの処理は、前記バックオフカウンタ値から、ランダムアクセス用の前記サブチャネルの数Ｎを差し引いて、新たなバックオフカウンタ値を取得することを含む、バックオフユニットと、
前記バックオフカウンタ値が０より大きいかどうかを判定する判定処理を実行するように構成された処理ユニットと、
第１のトリガフレームを受信するように構成された送受信機ユニットであって、前記第１のトリガフレームはアクセスポイントによって送信され、前記第１のトリガフレームは、ランダムアクセス用の前記サブチャネルの数がＮであることを示し、Ｎは０より大きい又は０に等しい整数である、送受信機ユニットと
を備え、
前記送受信機ユニットはさらに、ランダムアクセス用の前記サブチャネルの１つのサブチャネルで、アップリンクフレームを送信することを含むチャネルアクセスを実行するように構成されている、
装置。
【請求項１７】
前記送受信機ユニットがチャネルアクセスを前記実行することはさらに、
前記送受信機ユニットが前記アップリンクフレームの送信に失敗した場合、前記送受信機ユニットが第２のトリガフレームを受信することであって、前記第２のトリガフレームは前記アクセスポイントによって送信され、前記第２のトリガフレームはコンテンションウィンドウ調整用のパラメータ又は目標ＣＷｏ値を含む、受信することと、
前記処理ユニットが、前記第２のトリガフレームを解析した後に、ＣＷｏを調整することと
を含む、請求項１６に記載の装置。
【請求項１８】
前記処理ユニットが、前記第２のトリガフレームを解析した後に、ＣＷｏを前記調整することは、具体的には、
コンテンションウィンドウ調整用の前記パラメータを事前設定された閾値と比較することと、
前記パラメータが前記閾値より大きい場合はＣＷｏを増やし、又は、
前記パラメータが前記閾値より小さい若しくはそれと等しい場合はＣＷｏを変えずに維持することとを含む、請求項１７に記載の装置。
【請求項１９】
前記処理ユニットが、前記第２のトリガフレームを解析した後に、ＣＷｏを前記調整することは、具体的には、
コンテンションウィンドウ調整用の前記パラメータを事前設定された２つの閾値と比較することと、
前記パラメータが第１の閾値より大きい場合はＣＷｏを増やし、
前記パラメータが第２の閾値より大きい且つ前記第１の閾値より小さい若しくはそれと等しい場合はＣＷｏを変えずに維持し、又は、
前記パラメータが前記第２の閾値より小さい若しくはそれと等しい場合はＣＷｏを減らすこととを含む、請求項１７に記載の装置。
【請求項２０】
前記処理ユニットが、前記第２のトリガフレームを解析した後に、ＣＷｏを前記調整することは、具体的には、
局が調整前のＣＷｏ値を前記目標ＣＷｏ値と比較することと、
ＣＷｏが前記目標ＣＷｏ値より大きい場合はＣＷｏを減らし、
ＣＷｏが前記目標ＣＷｏ値と等しい場合はＣＷｏを変えずに維持し、又は、
ＣＷｏが前記目標ＣＷｏ値より小さい場合はＣＷｏを増やすこととを含む、請求項１７に記載の装置。
【請求項２１】
無線ローカルエリアネットワークに適用されるチャネルアクセス装置であって、
バックオフカウンタ値を生成するように構成された生成ユニットと、
バックオフを実行して前記バックオフカウンタ値を更新するように構成されたバックオフユニットであって、この処理は具体的には、
送受信機ユニットが、フレーム間隔ＸＩＦＳの間にチャネルがアイドル状態であることを検出した後に、搬送波感知多元接続／衝突回避ＣＳＭＡ／ＣＡ方式を用いることでバックオフを実行すること、又は送受信機ユニットが、第１のトリガフレームを受信した後に、ＯＦＤＭＡ競合方式に従ってバックオフを実行することを含み、前記第１のトリガフレームはランダムアクセス用のサブチャネルの数Ｎを示し、Ｎは０より大きい又は０に等しい整数である、バックオフユニットと、
前記バックオフカウンタ値が０より大きいかどうかを判定する判定処理を実行するように構成された処理ユニットと
を備え、
前記送受信機ユニットはさらに、
段階Ｂ１を実行することで前記バックオフカウンタ値が０に減らされた場合、前記送受信機ユニットがチャネル全体を用いることでアップリンクフレームを送信すること、又は、
段階Ｂ２を実行することで前記バックオフカウンタ値が０又は負の数に減らされた場合、前記送受信機ユニットが、ランダムアクセス用のサブチャネルにアクセスした後に、アップリンクフレームを送信すること
を含むチャネルアクセスを実行するように構成されている、装置。
【請求項２２】
送受信機ユニットが、第１のトリガフレームを受信した後に、ＯＦＤＭＡ競合方式に従ってバックオフを前記実行することは、
前記送受信機ユニットが、前記第１のトリガフレームを受信した後に、前記バックオフカウンタ値をβＮだけ減らすことを含み、βは０より大きい又は０に等しい実数である、請求項２１に記載の装置。
【請求項２３】
送受信機ユニットが、第１のトリガフレームを受信した後に、ＯＦＤＭＡ競合方式に従ってバックオフを前記実行することは、
前記送受信機ユニットが、前記第１のトリガフレームを受信した後に、前記バックオフカウンタ値を１だけ減らすことを含む、請求項２１に記載の装置。
【請求項２４】
送受信機ユニットが、第１のトリガフレームを受信した後に、ＯＦＤＭＡ競合方式に従ってバックオフを前記実行することは、
前記送受信機ユニットが、前記第１のトリガフレームを受信した後に、前記処理ユニットが前記第１のトリガフレームから利用可能なサブチャネルを読み出すたびに、前記バックオフカウンタ値を１だけ減らすことを含む、請求項２１に記載の装置。
【請求項２５】
前記送受信機ユニットが、サブチャネルにアクセスした後に、アップリンクフレームを前記送信することは、
前記送受信機ユニットが、ランダムアクセス用の前記サブチャネルから１つのサブチャネルをランダムに選択して、前記アップリンクフレームを送信すること、又は、
前記送受信機ユニットが、前記バックオフカウンタ値がちょうど０に減らされたサブチャネルを選択して、前記アップリンクフレームを送信すること
を含む、請求項２１から２４のいずれか一項に記載の装置。
【請求項２６】
送受信機ユニットが、フレーム間隔ＸＩＦＳの間にチャネルがアイドル状態であることを検出した後に、搬送波感知多元接続／衝突回避ＣＳＭＡ／ＣＡ方式を用いることでバックオフを前記実行することは、
前記送受信機ユニットが、フレーム間隔ＸＩＦＳの間にチャネルがアイドル状態であることを検出した後に、１つのタイムスロットの間に前記チャネルがアイドル状態である場合、チャネル状態がビジーに変わるまで、又は前記バックオフカウンタ値が０に減らされるまで、前記バックオフカウンタ値をαだけ減らすことを含み、αは０より大きい又は０に等しい実数である、請求項２１から２５のいずれか一項に記載の装置。
【請求項２７】
前記送受信機ユニットがチャネルアクセスを前記実行することはさらに、
前記送受信機ユニットが前記アップリンクフレームの送信に失敗した場合、前記送受信機ユニットが第２のトリガフレームを受信することであって、前記第２のトリガフレームはアクセスポイントによって送信され、前記第２のトリガフレームは、コンテンションウィンドウ調整用のパラメータ又は目標コンテンションウィンドウＣＷｏ値を含む、受信することと、
前記処理ユニットが、前記第２のトリガフレームを解析した後に、ＣＷｏを調整することであって、ＣＷｏは直交周波数分割多元接続ＯＦＤＭＡサブチャネル競合のコンテンションウィンドウである、調整することと
を含む、請求項２６に記載の装置。
【請求項２８】
前記処理ユニットが、前記第２のトリガフレームを解析した後に、コンテンションウィンドウＣＷｏを前記調整することは、具体的には、
コンテンションウィンドウ調整用の前記パラメータを事前設定された閾値と比較することと、
前記パラメータが前記閾値より大きい場合はＣＷｏを増やし、又は、
前記パラメータが前記閾値より小さい若しくはそれと等しい場合はＣＷｏを変えずに維持することとを含む、請求項２７に記載の装置。
【請求項２９】
前記処理ユニットが、前記第２のトリガフレームを解析した後に、コンテンションウィンドウＣＷｏを前記調整することは、具体的には、
コンテンションウィンドウ調整用の前記パラメータを事前設定された２つの閾値と比較することと、
前記パラメータが第１の閾値より大きい場合はＣＷｏを増やし、
前記パラメータが第２の閾値より大きい且つ前記第１の閾値より小さい若しくはそれと等しい場合はＣＷｏを変えずに維持し、
又は、前記パラメータが前記第２の閾値より小さい若しくはそれと等しい場合はＣＷｏを減らすこととを含む、請求項２７に記載の装置。
【請求項３０】
前記処理ユニットが、前記第２のトリガフレームを解析した後に、コンテンションウィンドウＣＷｏを前記調整することは、具体的には、
局が調整前のＣＷｏ値を前記目標ＣＷｏ値と比較することと、
ＣＷｏが前記目標ＣＷｏ値より大きい場合はＣＷｏを減らし、
ＣＷｏが前記目標ＣＷｏ値と等しい場合はＣＷｏを変えずに維持し、又は、
ＣＷｏが前記目標ＣＷｏ値より小さい場合はＣＷｏを増やすこととを含む、請求項２７に記載の装置。
【発明の詳細な説明】
【技術分野】
【０００１】
本発明は通信技術の分野に関し、具体的には、チャネルアクセス方法及び装置に関する。
【背景技術】
【０００２】
ＯＦＤＭＡ（英語名称：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）チャネルアクセスは、次世代ＷＬＡＮ（英語名称：Ｗｉｒｅｌｅｓｓ  Ｌｏｃａｌ  Ａｒｅａ  Ｎｅｔｗｏｒｋ）８０２．１１ａｘ規格で議論されているホットスポット技術である。この技術では、チャネルが複数のサブチャネルに分割されており、次に、複数の局が、アップリンクフレームを送信するためのサブチャネルをそれぞれ選択する。この技術によって、複数の局がアップリンクフレームを周波数ドメインにおいて同時に送信することが可能になるので、局間の衝突が緩和される。
【０００３】
従来技術のＯＦＤＭＡサブチャネルアクセスによる解決法のアクセス効率は、さらに改善される必要がある。さらに、既存の解決法では、ＯＦＤＭＡチャネルアクセス及び従来の搬送波感知多元接続／衝突回避（ＣＳＭＡ／ＣＡ）チャネルアクセスに対して、２つのバックオフカウンタが、バックオフをそれぞれ実行するのに用いられており、システムの複雑さが増している。
【発明の概要】
【０００４】
このような事情を考慮して、本発明は、システムのアクセス効率を改善するために、新たなＯＦＤＭＡチャネルアクセス方法及び装置を提供する。さらに、ＯＦＤＭＡチャネルアクセス処理及びＣＳＭＡ／ＣＡチャネルアクセス処理に対して、１つのバックオフカウンタを用いてバックオフを実行することができ、これにより、システムの複雑さが低減される。
【０００５】
第１の態様によると、本発明の一実施形態がチャネルアクセス方法を提供し、本方法は無線ローカルエリアネットワークに適用され、以下の段階を含む。
Ａ．局がバックオフカウンタ値を生成する段階。バックオフカウンタ値は、０以上ＣＷｏ以下の範囲からランダムに選択され、ＣＷｏは、直交周波数分割多元接続ＯＦＤＭＡサブチャネル競合のコンテンションウィンドウであり、ＣＷｏは０より大きい整数である。
Ｂ．局が第１のトリガフレームを受信する段階。第１のトリガフレームはアクセスポイントによって送信され、第１のトリガフレームは、ランダムアクセス用のサブチャネルの数がＮであることを示し、Ｎは０より大きい又は０に等しい整数である。
Ｃ．局がバックオフを実行する段階。バックオフの処理は、バックオフカウンタ値からランダムアクセス用のサブチャネルの数Ｎを差し引いて、新たなバックオフカウンタ値を取得する段階と、新たなバックオフカウンタ値が０又は負の数である場合は段階Ｄを実行し、新たなバックオフカウンタ値が０より大きい場合は段階Ｂを実行する段階とを含む。
Ｄ．局がチャネルアクセスを実行する段階。局が、ランダムアクセス用のサブチャネルから１つのサブチャネルをランダムに選択して、アップリンクフレームを送信する段階を含む。
【０００６】
第１の態様に関連して、第１の態様の第１の可能な実装方式では、局がチャネルアクセスを実行する段階はさらに、局がアップリンクフレームの送信に失敗した場合、局が第２のトリガフレームを受信する段階であって、第２のトリガフレームはアクセスポイントによって送信され、第２のトリガフレームはコンテンションウィンドウ調整用のパラメータ又は目標ＣＷｏ値を含む、受信する段階と、局が、第２のトリガフレームを解析した後に、ＣＷｏを調整する段階とを含む。
【０００７】
第１の態様の第１の可能な実装方式に関連して、第１の態様の第２の可能な実装方式では、局が、第２のトリガフレームを解析した後に、ＣＷｏを調整する段階は具体的には、コンテンションウィンドウ調整用のパラメータを事前設定された閾値と比較する段階と、当該パラメータが当該閾値より大きい場合はＣＷｏを増やし、又は、当該パラメータが当該閾値より小さい若しくはそれと等しい場合はＣＷｏを変えずに維持する段階とを含む。
【０００８】
第１の態様の第１の可能な実装方式に関連して、第１の態様の第３の可能な実装方式では、局が、第２のトリガフレームを解析した後に、ＣＷｏを調整する段階は具体的には、コンテンションウィンドウ調整用のパラメータを事前設定された２つの閾値と比較する段階と、当該パラメータが第１の閾値より大きい場合はＣＷｏを増やし、当該パラメータが第２の閾値より大きく且つ第１の閾値より小さい若しくはそれと等しい場合はＣＷｏを変えずに維持し、又は、当該パラメータが第２の閾値より小さい若しくはそれと等しい場合はＣＷｏを減らす段階とを含む。
【０００９】
第１の態様の第１の可能な実装方式に関連して、第１の態様の第４の可能な実装方式では、局が、第２のトリガフレームを解析した後に、ＣＷｏを調整する段階は具体的には、局が調整前のＣＷｏ値を目標ＣＷｏ値と比較する段階と、ＣＷｏが目標ＣＷｏ値より大きい場合はＣＷｏを減らし、ＣＷｏが目標ＣＷｏ値と等しい場合はＣＷｏを変えずに維持し、又は、ＣＷｏが目標ＣＷｏ値より小さい場合はＣＷｏを増やす段階とを含む。
【００１０】
第２の態様によると、本発明の一実施形態がチャネルアクセス方法を提供し、本方法は無線ローカルエリアネットワークに適用され、以下の段階を含む。
Ａ．局がバックオフカウンタ値を生成する段階。
Ｂ．局がバックオフを実行し、バックオフカウンタ値を更新する段階。具体的には下記の段階を含む。
Ｂ１．局が、フレーム間隔ＸＩＦＳの間にチャネルがアイドル状態であることを検出した後に、搬送波感知多元接続／衝突回避ＣＳＭＡ／ＣＡ方式を用いることでバックオフを実行する段階。
Ｂ２．局が、第１のトリガフレームを受信した後に、ＯＦＤＭＡ競合方式に従ってバックオフを実行する段階。第１のトリガフレームはランダムアクセス用のサブチャネルの数Ｎを示し、Ｎは０より大きい又は０に等しい整数であり、段階Ｂ１及び段階Ｂ２では、同じバックオフカウンタを用いることでバックオフが実行され、更新されたバックオフカウンタ値が０又は負の数である場合は段階Ｃが実行され、更新されたバックオフカウンタ値が０より大きい場合は段階Ｂが実行される。
Ｃ．局がチャネルアクセスを実行する段階。具体的には、段階Ｂ１を実行することでバックオフカウンタ値が０に減らされた場合、局がチャネル全体を用いることでアップリンクフレームを送信する、又は段階Ｂ２を実行することでバックオフカウンタ値が０又は負の数に減らされた場合、局が、ランダムアクセス用のサブチャネルにアクセスした後に、アップリンクフレームを送信する段階を含む。
【００１１】
第２の態様に関連して、第２の態様の第１の可能な実装方式では、局が、第１のトリガフレームを受信した後に、ＯＦＤＭＡ競合方式に従ってバックオフを実行する段階は、局が、第１のトリガフレームを受信した後に、バックオフカウンタ値をβＮだけ減らす段階を含み、ここでβは０より大きい又は０に等しい実数である。
【００１２】
第２の態様に関連して、第２の態様の第２の可能な実装方式では、局が、第１のトリガフレームを受信した後に、ＯＦＤＭＡ競合方式に従ってバックオフを実行する段階は、局が、第１のトリガフレームを受信した後に、バックオフカウンタ値を１だけ減らす段階を含む。
【００１３】
第２の態様に関連して、第２の態様の第３の可能な実装方式では、局が、第１のトリガフレームを受信した後に、ＯＦＤＭＡ競合方式に従ってバックオフを実行する段階は、局が、第１のトリガフレームを受信した後に、局が第１のトリガフレームから利用可能なサブチャネルを読み出すたびに、バックオフカウンタ値を１だけ減らす段階を含む。
【００１４】
第２の態様及び上述の実装方式に関連して、第２の態様の第４の可能な実装方式では、局が、サブチャネルにアクセスした後に、アップリンクフレームを送信する段階は、局が、ランダムアクセス用のサブチャネルから１つのサブチャネルをランダムに選択してアップリンクフレームを送信する段階、又は、局が、バックオフカウンタ値がちょうど０に減らされたサブチャネルを選択してアップリンクフレームを送信する段階を含む。
【００１５】
第２の態様及び上述の実装方式に関連して、第２の態様の第５の可能な実装方式では、局が、フレーム間隔ＸＩＦＳの間にチャネルがアイドル状態であることを検出した後に、搬送波感知多元接続／衝突回避ＣＳＭＡ／ＣＡ方式を用いることでバックオフを実行する段階は、局が、フレーム間隔ＸＩＦＳの間にチャネルがアイドル状態であることを検出した後に、１つのタイムスロットの間にチャネルがアイドル状態である場合、チャネル状態がビジーに変わるまで、又はバックオフカウンタ値が０に減らされるまで、バックオフカウンタ値をαだけ減らす段階を含み、αは０より大きい又は０に等しい実数である。
【００１６】
第２の態様の第５の可能な実装方式に関連して、第２の態様の第６の可能な実装方式では、局がチャネルアクセスを実行する段階はさらに、局がアップリンクフレームの送信に失敗した場合、局が第２のトリガフレームを受信する段階であって、第２のトリガフレームはアクセスポイントによって送信され、第２のトリガフレームは、コンテンションウィンドウ調整用のパラメータ又は目標コンテンションウィンドウＣＷｏ値を含む、受信する段階と、局が、第２のトリガフレームを解析した後に、ＣＷｏを調整する段階であって、ＣＷｏは直交周波数分割多元接続ＯＦＤＭＡサブチャネル競合のコンテンションウィンドウである、調整する段階とを含む。
【００１７】
第２の態様の第６の可能な実装方式に関連して、第２の態様の第７の可能な実装方式では、局が、第２のトリガフレームを解析した後に、コンテンションウィンドウＣＷｏを調整する段階は具体的には、コンテンションウィンドウ調整用のパラメータを事前設定された閾値と比較する段階と、当該パラメータが当該閾値より大きい場合はＣＷｏを増やし、又は、当該パラメータが当該閾値より小さい若しくはそれと等しい場合はＣＷｏを変えずに維持する段階とを含む。
【００１８】
第２の態様の第６の可能な実装方式に関連して、第２の態様の第８の可能な実装方式では、局が、第２のトリガフレームを解析した後に、コンテンションウィンドウＣＷｏを調整する段階は具体的には、コンテンションウィンドウ調整用のパラメータを事前設定された２つの閾値と比較する段階と、当該パラメータが第１の閾値より大きい場合はＣＷｏを増やし、当該パラメータが第２の閾値より大きく且つ第１の閾値より小さい若しくはそれと等しい場合はＣＷｏを変えずに維持し、又は、当該パラメータが第２の閾値より小さい若しくはそれと等しい場合はＣＷｏを減らす段階とを含む。
【００１９】
第２の態様の第６の可能な実装方式に関連して、第２の態様の第９の可能な実装方式では、局が、第２のトリガフレームを解析した後に、コンテンションウィンドウＣＷｏを調整する段階は具体的には、局が調整前のＣＷｏ値を目標ＣＷｏ値と比較する段階と、ＣＷｏが目標ＣＷｏ値より大きい場合はＣＷｏを減らし、ＣＷｏが目標ＣＷｏ値と等しい場合はＣＷｏを変えずに維持し、又は、ＣＷｏが目標ＣＷｏ値より小さい場合はＣＷｏを増やす段階とを含む。
【００２０】
第３の態様によると、本発明の一実施形態がチャネルアクセス装置を提供し、本装置は無線ローカルエリアネットワークに適用され、以下のユニットを含む。すなわち、バックオフカウンタ値を生成するように構成された生成ユニットであって、バックオフカウンタ値は０以上ＣＷｏ以下の範囲からランダムに選択され、ＣＷｏは直交周波数分割多元接続ＯＦＤＭＡサブチャネル競合のコンテンションウィンドウであり、ＣＷｏは０より大きい整数である、生成ユニットと、バックオフを実行するように構成されたバックオフユニットであって、バックオフの処理は、バックオフカウンタ値からランダムアクセス用のサブチャネルの数Ｎを差し引いて、新たなバックオフカウンタ値を取得することを含む、バックオフユニットと、バックオフカウンタ値が０より大きいかどうかを判定する判定処理を実行するように構成された処理ユニットと、第１のトリガフレームを受信するように構成された送受信機ユニットであって、第１のトリガフレームはアクセスポイントによって送信され、第１のトリガフレームは、ランダムアクセス用のサブチャネルの数がＮであることを示し、Ｎは０より大きい又は０に等しい整数である、送受信機ユニットとであり、送受信機ユニットはさらに、ランダムアクセス用のサブチャネルの１つのサブチャネルで、アップリンクフレームを送信することを含むチャネルアクセスを実行するように構成されている。
【００２１】
第３の態様に関連して、第３の態様の第１の可能な実装方式では、送受信機ユニットがチャネルアクセスを実行することはさらに、送受信機ユニットがアップリンクフレームの送信に失敗した場合、送受信機ユニットが第２のトリガフレームを受信することであって、第２のトリガフレームはアクセスポイントによって送信され、第２のトリガフレームはコンテンションウィンドウ調整用のパラメータ又は目標ＣＷｏ値を含む、受信することと、処理ユニットが、第２のトリガフレームを解析した後に、ＣＷｏを調整することとを含む。
【００２２】
第３の態様の第１の可能な実装方式に関連して、第３の態様の第２の可能な実装方式では、処理ユニットが、第２のトリガフレームを解析した後に、ＣＷｏを調整することは具体的には、コンテンションウィンドウ調整用のパラメータを事前設定された閾値と比較することと、当該パラメータが当該閾値より大きい場合はＣＷｏを増やし、又は、当該パラメータが当該閾値より小さい若しくはそれと等しい場合はＣＷｏを変えずに維持することとを含む。
【００２３】
第３の態様の第１の可能な実装方式に関連して、第３の態様の第３の可能な実装方式では、処理ユニットが、第２のトリガフレームを解析した後に、ＣＷｏを調整することは具体的には、コンテンションウィンドウ調整用のパラメータを事前設定された２つの閾値と比較することと、当該パラメータが第１の閾値より大きい場合はＣＷｏを増やし、当該パラメータが第２の閾値より大きく且つ第１の閾値より小さい若しくはそれと等しい場合はＣＷｏを変えずに維持し、又は、当該パラメータが第２の閾値より小さい若しくはそれと等しい場合はＣＷｏを減らすこととを含む。
【００２４】
第３の態様の第１の可能な実装方式に関連して、第３の態様の第４の可能な実装方式では、処理ユニットが、第２のトリガフレームを解析した後に、ＣＷｏを調整することは具体的には、局が調整前のＣＷｏ値を目標ＣＷｏ値と比較することと、ＣＷｏが目標ＣＷｏ値より大きい場合はＣＷｏを減らし、ＣＷｏが目標ＣＷｏ値と等しい場合はＣＷｏを変えずに維持し、又は、ＣＷｏが目標ＣＷｏ値より小さい場合はＣＷｏを増やすこととを含む。
【００２５】
第４の態様によると、本発明の一実施形態がチャネルアクセス装置を提供し、本装置は無線ローカルエリアネットワークに適用され、以下のユニットを含む。すなわち、バックオフカウンタ値を生成するように構成された生成ユニットと、バックオフを実行してバックオフカウンタ値を更新するように構成されたバックオフユニットであって、この処理は具体的には、送受信機ユニットが、フレーム間隔ＸＩＦＳの間にチャネルがアイドル状態であることを検出した後に、搬送波感知多元接続／衝突回避ＣＳＭＡ／ＣＡ方式を用いることでバックオフを実行すること、又は送受信機ユニットが、第１のトリガフレームを受信した後に、ＯＦＤＭＡ競合方式に従ってバックオフを実行することを含み、第１のトリガフレームはランダムアクセス用のサブチャネルの数Ｎを示し、Ｎは０より大きい又は０に等しい整数である、バックオフユニットと、バックオフカウンタ値が０より大きいかどうかを判定する判定処理を実行するように構成された処理ユニットとであり、送受信機ユニットはさらに、段階Ｂ１を実行することでバックオフカウンタ値が０に減らされた場合、送受信機ユニットがチャネル全体を用いることでアップリンクフレームを送信すること、又は、段階Ｂ２を実行することでバックオフカウンタ値が０又は負の数に減らされた場合、送受信機ユニットが、ランダムアクセス用のサブチャネルにアクセスした後に、アップリンクフレームを送信することを含むチャネルアクセスを実行するように構成されている。
【００２６】
第４の態様に関連して、第４の態様の第１の可能な実装方式では、送受信機ユニットが、第１のトリガフレームを受信した後に、ＯＦＤＭＡ競合方式に従ってバックオフを実行することは、送受信機ユニットが、第１のトリガフレームを受信した後に、バックオフカウンタ値をβＮだけ減らすことを含み、ここでβは０より大きい又は０に等しい実数である。
【００２７】
第４の態様に関連して、第４の態様の第２の可能な実装方式では、送受信機ユニットが、第１のトリガフレームを受信した後に、ＯＦＤＭＡ競合方式に従ってバックオフを実行することは、送受信機ユニットが、第１のトリガフレームを受信した後に、バックオフカウンタ値を１だけ減らすことを含む。
【００２８】
第４の態様に関連して、第４の態様の第３の可能な実装方式では、送受信機ユニットが、第１のトリガフレームを受信した後に、ＯＦＤＭＡ競合方式に従ってバックオフを実行することは、送受信機ユニットが、第１のトリガフレームを受信した後に、処理ユニットが第１のトリガフレームから利用可能なサブチャネルを読み出すたびに、バックオフカウンタ値を１だけ減らすことを含む。
【００２９】
第４の態様及び上述の実装方式に関連して、第４の態様の第４の可能な実装方式では、送受信機ユニットが、サブチャネルにアクセスした後に、アップリンクフレームを送信することは、送受信機ユニットが、ランダムアクセス用のサブチャネルから１つのサブチャネルをランダムに選択してアップリンクフレームを送信する、又は、送受信機ユニットが、バックオフカウンタ値がちょうど０に減らされたサブチャネルを選択してアップリンクフレームを送信することを含む。
【００３０】
第４の態様及び上述の実装方式に関連して、第４の態様の第５の可能な実装方式では、送受信機ユニットが、フレーム間隔ＸＩＦＳの間にチャネルがアイドル状態であることを検出した後に、搬送波感知多元接続／衝突回避ＣＳＭＡ／ＣＡ方式を用いることでバックオフを実行する段階は、送受信機ユニットが、フレーム間隔ＸＩＦＳの間にチャネルがアイドル状態であることを検出した後に、１つのタイムスロットの間にチャネルがアイドル状態である場合、チャネル状態がビジーに変わるまで、又はバックオフカウンタ値が０に減らされるまで、バックオフカウンタ値をαだけ減らす段階を含み、αは０より大きい又は０に等しい実数である。
【００３１】
第４の態様の第５の可能な実装方式に関連して、第４の態様の第６の可能な実装方式では、送受信機ユニットがチャネルアクセスを実行することはさらに、送受信機ユニットがアップリンクフレームの送信に失敗した場合、送受信機ユニットが第２のトリガフレームを受信することであって、第２のトリガフレームはアクセスポイントによって送信され、第２のトリガフレームは、コンテンションウィンドウ調整用のパラメータ又は目標コンテンションウィンドウＣＷｏ値を含む、受信することと、処理ユニットが、第２のトリガフレームを解析した後に、ＣＷｏを調整することであって、ＣＷｏは直交周波数分割多元接続ＯＦＤＭＡサブチャネル競合のコンテンションウィンドウである、調整することとを含む。
【００３２】
第４の態様の第６の可能な実装方式に関連して、第４の態様の第７の可能な実装方式では、処理ユニットが、第２のトリガフレームを解析した後に、コンテンションウィンドウＣＷｏを調整することは具体的には、コンテンションウィンドウ調整用のパラメータを事前設定された閾値と比較することと、当該パラメータが当該閾値より大きい場合はＣＷｏを増やし、又は、当該パラメータが当該閾値より小さい若しくはそれと等しい場合はＣＷｏを変えずに維持することとを含む。
【００３３】
第４の態様の第６の可能な実装方式に関連して、第４の態様の第８の可能な実装方式では、処理ユニットが、第２のトリガフレームを解析した後に、コンテンションウィンドウＣＷｏを調整することは具体的には、コンテンションウィンドウ調整用のパラメータを事前設定された２つの閾値と比較することと、当該パラメータが第１の閾値より大きい場合はＣＷｏを増やし、当該パラメータが第２の閾値より大きく且つ第１の閾値より小さい若しくはそれと等しい場合はＣＷｏを変えずに維持し、又は、当該パラメータが第２の閾値より小さい若しくはそれと等しい場合はＣＷｏを減らすこととを含む。
【００３４】
第４の態様の第６の可能な実装方式に関連して、第４の態様の第９の可能な実装方式では、処理ユニットが、第２のトリガフレームを解析した後に、コンテンションウィンドウＣＷｏを調整することは具体的には、局が調整前のＣＷｏ値を目標ＣＷｏ値と比較することと、ＣＷｏが目標ＣＷｏ値より大きい場合はＣＷｏを減らし、ＣＷｏが目標ＣＷｏ値と等しい場合はＣＷｏを変えずに維持し、又は、ＣＷｏが目標ＣＷｏ値より小さい場合はＣＷｏを増やすこととを含む。
【００３５】
本発明の実施形態によると、無線ローカルエリアネットワークのチャネルアクセス処理において、１つのバックオフカウンタが、ＯＦＤＭＡサブチャネルアクセス及びＣＳＭＡ／ＣＡチャネルアクセスに用いられ、システムの複雑さが低減される。さらに、ＯＦＤＭＡサブチャネルアクセス処理において、ランダムチャネルアクセスが用いられ、システムのアクセス効率が改善される。
【図面の簡単な説明】
【００３６】
【図１】本発明の一実施形態による応用シナリオの図である。
【００３７】
【図２】本発明の実施形態１による処理のブロック図である。
【００３８】
【図３】本発明の実施形態１によるチャネルアクセスの概略図である。
【００３９】
【図４】本発明の実施形態２による処理のブロック図である。
【００４０】
【図５】本発明の実施形態２によるチャネルアクセスの概略図である。
【００４１】
【図６】本発明の実施形態１による論理構造の図である。
【００４２】
【図７】本発明の実施形態２による論理構造の図である。
【００４３】
【図８】本発明の一実施形態による物理構造の図である。
【発明を実施するための形態】
【００４４】
本発明の目的、技術的解決法、及び利点をより明確にするために、以下においてさらに、添付図面を参照しながら本発明の実施形態を詳細に説明する。本発明を包括的に理解するために、以下の説明では多くの具体的な詳細について言及する。しかし、これらの具体的な詳細を必要とすることなく、本発明が実装されてよいことを当業者は理解されたい。説明される実施形態は、本発明の実施形態の全てではなく、一部であることは明らかである。本発明の実施形態に基づいて、創造的努力をすることなく当業者により取得される他の全ての実施形態は、本発明の保護範囲に含まれることになる。
【００４５】
本発明の実施形態は、無線ローカルエリアネットワーク（英語名称：Ｗｉｒｅｌｅｓｓ  Ｌｏｃａｌ  Ａｒｅａ  Ｎｅｔｗｏｒｋ、略してＷＬＡＮ）に適用されてよい。現在、ＷＬＡＮに用いられている規格は、ＩＥＥＥ（英語名称：Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１シリーズである。ＷＬＡＮは、複数の基本サービスセット（英語名称：Ｂａｓｉｃ  Ｓｅｒｖｉｃｅ  Ｓｅｔ、略してＢＳＳ）を含んでよい。基本サービスセットのネットワークノードは、局（英語名称：Ｓｔａｔｉｏｎ、略してＳＴＡ）である。局は、アクセスポイント局（略してＡＰ、英語名称：Ａｃｃｅｓｓ  Ｐｏｉｎｔ）、及び非アクセスポイント局（英語名称：Ｎｏｎｅ  Ａｃｃｅｓｓ  Ｐｏｉｎｔ  Ｓｔａｔｉｏｎ、略してＮｏｎ−ＡＰ  ＳＴＡ）を含む。それぞれの基本サービスセットは、１つのＡＰと、このＡＰと関連した複数のＮｏｎ−ＡＰ  ＳＴＡとを含んでよい。
【００４６】
アクセスポイント局はまた、無線アクセスポイント、ホットスポットなどと呼ばれている。ＡＰは、有線ネットワークにアクセスするモバイルユーザにより用いられるアクセスポイントであり、主として、自宅、建物内、及び大学構内に配置され、典型的なカバレッジ半径は、数十メートルから１００メートルである。もちろん、その代わりにＡＰは屋外に配置されてよい。ＡＰは、有線ネットワークと無線ネットワークを接続するブリッジに相当し、ＡＰの主な役割は、様々な無線ネットワーククライアントを共に接続し、次に無線ネットワークをＥｔｈｅｒｎｅｔ（登録商標）に接続することである。具体的には、ＡＰは、ＷｉＦｉ（英語名称：Ｗｉｒｅｌｅｓｓ  Ｆｉｄｅｌｉｔｙ）チップを有する端末デバイス又はネットワークデバイスであってよい。任意選択でＡＰは、８０２．１１ａｘ規格をサポートするデバイスであってよい。さらに、任意選択でＡＰは、８０２．１１ａｃ、８０２．１１ｎ、８０２．１１ｇ、８０２．１１ｂ、及び８０２．１１ａなど、複数のＷＬＡＮ規格をサポートするデバイスであってよい。
【００４７】
非アクセスポイント局（英語名称：Ｎｏｎｅ  Ａｃｃｅｓｓ  Ｐｏｉｎｔ  Ｓｔａｔｉｏｎ、略してＮｏｎ−ＡＰ  ＳＴＡ）は、無線通信チップ、無線センサ、又は無線通信端末であってよく、無線通信端末には、ＷｉＦｉ通信機能をサポートする携帯電話、ＷｉＦｉ通信機能をサポートするタブレットコンピュータ、ＷｉＦｉ通信機能をサポートするセットトップボックス、ＷｉＦｉ通信機能をサポートするスマートテレビ、ＷｉＦｉ通信機能をサポートするインテリジェントウェアラブルデバイス、ＷｉＦｉ通信機能をサポートする車載通信デバイス、及びＷｉＦｉ通信機能をサポートするコンピュータなどがある。任意選択で局は、８０２．１１ａｘ規格をサポートしてよい。さらに、任意選択で局は、８０２．１１ａｃ、８０２．１１ｎ、８０２．１１ｇ、８０２．１１ｂ、及び８０２．１１ａなど、複数のＷＬＡＮ規格をサポートする。
【００４８】
図１は、典型的なＷＬＡＮの配置シナリオのシステム概略図であり、１つのＡＰと３つのＳＴＡとを含む。ＡＰは、ＳＴＡ１、ＳＴＡ２、及びＳＴＡ３と個々に通信する。
【００４９】
従来技術１では、２つのバックオフカウンタが用いられており、一方のバックオフカウンタがＣＳＭＡ／ＣＡチャネルアクセスに用いられ、他方のバックオフカウンタがＯＦＤＭＡチャネルアクセスに用いられている。ＯＦＤＭＡチャネルアクセス処理とは、以下の通りである。
【００５０】
局が、バックオフカウンタ値として、０以上ＣＷｏ以下の範囲から整数を一様に且つランダムに選択する。ここで、ＣＷｏはＯＦＤＭＡサブチャネル競合のコンテンションウィンドウである。
【００５１】
局が、トリガフレームに示された利用可能なサブチャネルごとにトリガフレームを受信した場合、バックオフカウンタがそのたびに１だけ減らすという処理を実行する。ランダムアクセス用のサブチャネルの数はＮであり、これはトリガフレームによって示され、Ｎは０より大きい整数である。
【００５２】
バックオフカウンタ値が０に減らされた後に、局は、バックオフカウンタ値が０に減らされたサブチャネルでアップリンクフレームを送信する。
［実施形態１］
【００５３】
本発明の実施形態１が、ＷＬＡＮに適用されるチャネルアクセス方法を提供する。本方法は、図１のＡＰ及びＳＴＡ１からＳＴＡ３などの局に適用されてよい。局は、８０２．１１ａｘ規格などの次世代のＷＬＡＮ規格をサポートしてよい。図２は、チャネルアクセス方法のフローチャートである。具体的な段階は以下の通りである。
【００５４】
Ａ．局がバックオフカウンタ値を生成する。バックオフカウンタ値は、０以上ＣＷｏ以下の範囲からランダムに選択され、ＣＷｏは、直交周波数分割多元接続ＯＦＤＭＡサブチャネル競合のコンテンションウィンドウであり、ＣＷｏは０より大きい整数である。
【００５５】
Ｂ．局が第１のトリガフレームを受信する。第１のトリガフレームはアクセスポイントによって送信され、第１のトリガフレームは、ランダムアクセス用のサブチャネルの数がＮであることを示し、Ｎは０より大きい又は０に等しい整数である。
【００５６】
Ｃ．局がバックオフを実行する。バックオフの処理は、バックオフカウンタ値からランダムアクセス用のサブチャネルの数Ｎを差し引いて、新たなバックオフカウンタ値を取得する段階と、新たなバックオフカウンタ値が０又は負の数である場合は段階Ｄを実行し、又は新たなバックオフカウンタ値が０より大きい場合は段階Ｂを実行する段階とを含む。
【００５７】
Ｄ．局が、ランダムアクセス用のサブチャネルから１つのサブチャネルをランダムに選択し、次に当該サブチャネルにアクセスしてアップリンクフレームを送信する。
【００５８】
バックオフカウンタ値はさらに、ＡＰによってブロードキャストされる、バックオフカウンタ値である生成パラメータに従って生成されてよいことに留意されたい。
【００５９】
具体的には、第１のトリガフレームは２つの種類がある。種類１は、その数を送信するために、全てのサブチャネルを特定のユーザに割り当てるための、純然たるスケジューリング型である。種類２は、ＯＦＤＭＡ競合によって、ランダムサブチャネルアクセス用の一部又は全てのサブチャネルを用いるためのものである。本特許において言及される第１のトリガフレームは特に、ランダムアクセス用のサブチャネルの数を含むトリガフレームを意味する。純然たるスケジューリング型のトリガフレームは、ランダムアクセス用のサブチャネルの数が０であるトリガフレームとみなされてよく、等価効果が得られてよい。
【００６０】
段階３で局によって実行されるバックオフ処理が、図３を参照しながら説明される。図３の左側では、バックオフカウンタのＢＯ値が４であり、第１のトリガフレームに示されたランダムアクセス用のサブチャネルの数が９である場合、バックオフカウンタの新たなＢＯ´の値が−５となり、局は、サブチャネル１〜９の中から１つのサブチャネルを選択し、次に当該サブチャネルにアクセスしてアップリンクフレームを送信する。図３の右側では、バックオフカウンタのＢＯ値は１６であり、第１のトリガフレームに示されたランダムアクセス用のサブチャネルの数が９である場合、バックオフカウンタの新たなＢＯ´の値が７となり、ＢＯ´は０ではなく負の数でもない。局が再び第１のトリガフレームを受信し、ＢＯ´´＝−２となった場合、局は、サブチャネル１０〜１８の中から１つのサブチャネルをランダムに選択し、次に当該サブチャネルにアクセスしてアップリンクフレームを送信する。
【００６１】
任意選択で、局がチャネルアクセスを実行することはさらに、局がアップリンクフレームの送信に失敗した場合、局が第２のトリガフレームを受信することであって、第２のトリガフレームはアクセスポイントによって送信され、第２のトリガフレームはコンテンションウィンドウ調整用のパラメータ又は目標ＣＷｏ値を含む、受信することと、局が、第２のトリガフレームを解析した後に、ＣＷｏを調整することとを含む。
【００６２】
アップリンクフレームを送信する局の障害には例えば、局間のチャネル競合により引き起こされる衝突、及び劣悪なチャネル状態による送信障害といった複数の理由があることに留意されたい。
【００６３】
具体的には、局が、第２のトリガフレームを解析した後に、ＣＷｏを調整することは、少なくとも３つの方法を含む。
【００６４】
方法１．コンテンションウィンドウ調整用のパラメータを事前設定された閾値と比較し、当該パラメータが当該閾値より大きい場合はＣＷｏが増やされ、又は、当該パラメータが当該閾値より小さい若しくはそれと等しい場合はＣＷｏが変えずに維持される。
【００６５】
パラメータ及び閾値は、逆の形に定義され変えられ得るので、方法１はさらに、次のように等価的に説明されてよい。すなわち、コンテンションウィンドウ調整用のパラメータを事前設定された閾値と比較し、当該パラメータが当該閾値より小さい場合はＣＷｏが増やされ、又は、当該パラメータが当該閾値より大きい若しくはそれと等しい場合はＣＷｏが変えずに維持される。
【００６６】
方法２．コンテンションウィンドウ調整用のパラメータを事前設定された２つの閾値と比較し、当該パラメータが第１の閾値より大きい場合はＣＷｏが増やされ、当該パラメータが第２の閾値より大きい且つ第１の閾値より小さい若しくはそれと等しい場合はＣＷｏが変えずに維持され、又は、当該パラメータが第２の閾値より小さい若しくはそれと等しい場合はＣＷｏが減らされる。
【００６７】
パラメータ及び閾値は、逆の形に定義され変えられ得るので、方法２はさらに、次のように等価的に説明されてよい。すなわち、コンテンションウィンドウ調整用のパラメータを事前設定された２つの閾値と比較し、当該パラメータが第１の閾値より小さい場合はＣＷｏが増やされ、当該パラメータが第２の閾値より小さく且つ第１の閾値より大きい若しくはそれと等しい場合はＣＷｏが変えずに維持され、又は、当該パラメータが第２の閾値より大きい若しくはそれと等しい場合はＣＷｏが減らされる。
【００６８】
方法１及び方法２の閾値は、規格によって規定されているか、又はブロードキャスト方式でＡＰによって通知されることに留意されたい。
【００６９】
例えば、コンテンションウィンドウ調整用のパラメータ＝衝突が発生するサブチャネルの数／（ランダム競合のサブチャネルの数＋競合が成功したサブチャネルの数）である。あるいは、アクセスポイントが、前のラウンドで衝突が発生したサブチャネルの数、競合が成功したサブチャネルの数、及びランダム競合のサブチャネルの全て又は一部の数をトリガフレームに示す。局は、アクセスポイントによって示されたパラメータに従って、コンテンションウィンドウ調整用のパラメータを生成し、コンテンションウィンドウ調整用のパラメータはＣＷｏの調整に用いられる。
【００７０】
方法３．局は、調整前のＣＷｏ値を目標ＣＷｏ値と比較する。
【００７１】
ＣＷｏが目標ＣＷｏ値より大きい場合は、ＣＷｏが減らされる。
【００７２】
ＣＷｏが目標ＣＷｏ値と等しい場合は、ＣＷｏが変えずに維持される。
【００７３】
ＣＷｏが目標ＣＷｏ値より小さい場合は、ＣＷｏが増やされる。
【００７４】
本実施形態は、ＯＦＤＭＡチャネルアクセスに個々に用いられてよく、又は既存のＣＳＭＡ／ＣＡチャネルアクセスと組み合わされてよいことに留意されたい。具体的には、本実施形態では、バックオフが、１つのバックオフカウンタを用いることで、ＯＦＤＭＡチャネルアクセス処理及びＣＳＭＡ／ＣＡチャネルアクセス処理に対して実行されてよい。あるいは、本実施形態は、既存のＣＳＭＡ／ＣＡチャネルアクセスと組み合わされてよく、２つのバックオフカウンタが、ＯＦＤＭＡチャネルアクセス及びＣＳＭＡ／ＣＡチャネルアクセスにそれぞれ用いられる。
【００７５】
従来技術１と比較すると、本発明では、バックオフカウンタ値が０又は負の数である場合、局は、ランダムアクセス用のサブチャネルから１つのサブチャネルをランダムに選択し、次に当該サブチャネルにアクセスしてアップリンクフレームを送信する。しかし、従来技術１では、バックオフカウンタ値が０に減らされた後に、局が、バックオフカウンタ値が０に減らされたサブチャネルでアップリンクフレームを送信する。
【００７６】
本発明では、アクセスされ得る局の数に関係なく、それぞれのアクセス局が、利用可能な全てのサブチャネルからランダムな選択を実行する。これで、ランダムアクセスのサブチャネルのリソースを十分に利用することができる。しかし、従来技術１では、ランダムアクセス用のサブチャネルごとに、バックオフカウンタ値から１が引かれた場合、バックオフカウンタ値が０に減らされたサブチャネルで送信が実行される解決法によると、ランダムアクセス用の一部のサブチャネルは、どの局からも選択されない場合があり、これによってリソースの無駄が生じる。
【００７７】
本発明の本実施形態によると、無線ローカルエリアネットワークのチャネルアクセス処理では、局がバックオフカウンタ値を生成し、次に局が、第１のトリガフレームを受信した後に、バックオフの処理を実行する。バックオフの処理は、ランダムアクセス用のサブチャネルの数Ｎをバックオフカウンタ値から差し引いて、新たなバックオフカウンタ値を取得することと、新たなバックオフカウンタ値が０又は負の数である場合、局が、ランダムアクセス用のサブチャネルから１つのサブチャネルをランダムに選択し、次に当該サブチャネルにアクセスしてアップリンクフレームを送信することとを含む。上述の方法を用いることで、システムのアクセス効率が改善され、システムリソースの無駄が避けられる。
［実施形態２］
【００７８】
本発明の実施形態２が、ＷＬＡＮに適用されるデータ送信方法を提供する。本方法は、図１のＡＰ及びＳＴＡ１からＳＴＡ３などの局に適用されてよい。局は、８０２．１１ａｘ規格などの次世代のＷＬＡＮ規格をサポートしてよい。図４は、データ送信方法の相互作用図である。具体的な段階は以下の通りである。
【００７９】
Ａ．局がバックオフカウンタ値を生成する。
【００８０】
Ｂ．局がバックオフを実行し、バックオフカウンタ値を更新する。具体的には以下の段階を含む。
Ｂ１．局が、フレーム間隔ＸＩＦＳの間にチャネルがアイドル状態であることを検出した後に、搬送波感知多元接続／衝突回避ＣＳＭＡ／ＣＡ方式を用いることでバックオフを実行する段階。
Ｂ２．局が、第１のトリガフレームを受信した後に、ＯＦＤＭＡ競合方式に従ってバックオフを実行する段階。第１のトリガフレームはランダムアクセス用のサブチャネルの数Ｎを示し、Ｎは０より大きい又は０に等しい整数であり、段階Ｂ１及び段階Ｂ２では、同じバックオフカウンタを用いることでバックオフが実行され、更新されたバックオフカウンタ値が０又は負の数である場合は段階Ｃが実行され、更新されたバックオフカウンタ値が０より大きい場合は段階Ｂが実行される。
【００８１】
Ｃ．局がチャネルアクセスを実行する段階。具体的には、段階Ｂ１を実行することでバックオフカウンタ値が０に減らされた場合、局がチャネル全体を用いることでアップリンクフレームを送信する、又は段階Ｂ２を実行することでバックオフカウンタ値が０又は負の数に減らされた場合、局が、ランダムアクセス用のサブチャネルにアクセスした後に、アップリンクフレームを送信することを含む。
【００８２】
段階Ｂ１では、従来のＣＳＭＡ／ＣＡチャネルアクセス方式が実行され、従来のＣＳＭＡ／ＣＡには、時間ドメインバックオフ用のバックオフカウンタがあることに留意されたい。段階Ｂ２では、ＯＦＤＭＡチャネルアクセス方式が実行され、ＯＦＤＭＡチャネル競合もバックオフカウンタを必要とする。本実施形態では、ＯＦＤＭＡ競合及びＣＳＭＡ／ＣＡ競合は、同じバックオフカウンタを用いる。
【００８３】
段階Ｂ２のＯＦＤＭＡ競合方式は、少なくとも３つの方法を含む。
【００８４】
方法１．局が、第１のトリガフレームを受信した後に、ＯＦＤＭＡ競合方式に従ってバックオフを実行する段階は、局が、第１のトリガフレームを受信した後に、バックオフカウンタ値をβＮだけ減らす段階を含み、ここでβは０より大きい又は０に等しい実数である。
【００８５】
例えば、段階Ｂ１（ＣＳＭＡ／ＣＡチャネルアクセス方式）が実行された後に、バックオフカウンタ値はＢＯ＝５となる。当該ＢＯ値は０より大きいので、段階Ｂが実行される。この場合、局はトリガフレームを受信し、当該トリガフレームは、サブチャネルの数が３であることを示し、段階Ｂ２（ＯＦＤＭＡチャネルアクセス方式）が実行される。ＢＯ＝２となり、当該ＢＯ値は０より大きいので、段階Ｂが実行される。この場合、局が、ＤＩＦＳ時間の間にチャネルがアイドル状態であることを検出した後に、段階Ｂ１が実行される。局が、２つのタイムスロットの間にチャネルがアイドル状態であることを検出した場合、ＢＯ＝０となり、この場合、段階Ｃが実行される。段階Ｂ１を実行することで、局によってバックオフカウンタ値が０に減らされたので、局は、チャネル全体を用いることでアップリンクフレームを送信する。要するに、段階Ｂ１及び段階Ｂ２でバックオフを実行する場合、局は同じバックオフカウンタを用いる。段階Ｂ２では、局がトリガフレームを受信した後、それは、チャネルがビジー状態であることを意味する。段階Ｂ１では、局は、ＸＩＦＳの間にチャネルがアイドル状態であることを検出する。したがって、段階Ｂ１及び段階Ｂ２を同時に実行することはできず、一方の段階だけが選択されて実行され得る。さらに、バックオフカウンタ値が０ではないならば、局は段階Ｂを繰り返し実行する。
【００８６】
具体的には、段階Ｂ１では、ＸＩＦＳの間にチャネルがアイドル状態になった後に、チャネルが１つのタイムスロット（ｔｉｍｅｓｌｏｔ、概して９μｓ）の間にアイドル状態である場合、バックオフカウンタ値は１だけ減らされる。チャネルが、特定のタイムスロットの間にビジー状態に変わった場合、バックオフカウンタはバックオフの実行を中止する。ＸＩＦＳは、異なるバックオフ方式に従って、ＤＩＦＳ（英語名称：ｄｉｓｔｒｉｂｕｔｅｄ  ｃｏｏｒｄｉｎａｔｉｏｎ  ｆｕｎｃｔｉｏｎ  ｉｎｔｅｒｆｒａｍｅ  ｓｐａｃｅ）、ＰＩＦＳ（英語名称：ｐｏｉｎｔ  ｃｏｏｒｄｉｎａｔｉｏｎ  ｆｕｎｃｔｉｏｎ  ｉｎｔｅｒｆｒａｍｅ  ｓｐａｃｅ）、又はＡＩＦＳ（英語名称：ａｒｂｉｔｒａｔｉｏｎ  ｉｎｔｅｒｆｒａｍｅ  ｓｐａｃｅ）であってよい。
【００８７】
段階Ｂで局によって実行されるバックオフ処理が、図５を参照しながら説明される。局のバックオフカウンタの初期値が５である場合、局が、ＤＩＦＳ（ＤＣＦ競合方式が用いられていると仮定）の間にチャネルがアイドル状態であることを検出した後に、段階Ｂ１が実行され、２つの連続したタイムスロットの間にチャネルがアイドル状態である場合、バックオフカウンタ値が２だけ減らされる、すなわちＢＯ値が５から３に減らされる。次に、アクセスポイントがトリガフレームを送信するので、チャネルがビジー状態に変わり、チャネルがビジー状態に変わったことを感知した後に、局はバックオフカウンタを停止する。ＳＴＡが受信したフレームがトリガフレーム（これは通常、ＳＴＡと関連したアクセスポイントによって送信される必要がある）であることをＳＴＡが検出した後に、トリガフレームがランダムアクセス用のＮ個のサブチャネルを示している場合、バックオフカウンタ値ＢＯはＮだけ減らされ、Ｎが３より大きい又は３と等しい場合、バックオフカウンタ値ＢＯは０又は負の数に減らされる。段階Ｂ２を実行することで、バックオフカウンタ値が局によって０に減らされるので、局は、トリガフレームによって示されるランダムアクセス用のサブチャネル１〜５の中から１つのサブチャネルをランダムに選択し、トリガフレームがＳＩＦＳ時間を終了した後に、アップリンクフレームを送信する。
【００８８】
βは、０．５、１、又は２などの値であってよいことに留意されたい。当業者は、望ましい方式はβが１であり、この場合、それは、βが考慮されないことに相当することを理解している。βＮが整数ではない場合、丸め処理を実行する必要がある。丸め処理は、四捨五入、切り捨て、又は切り上げであってよく、用いられる具体的な丸め処理は概して、公平性を確保するために、規格によって指定される必要がある。
【００８９】
方法２．局が、第１のトリガフレームを受信した後に、ＯＦＤＭＡ競合方式に従ってバックオフを実行する段階は、局が、第１のトリガフレームを受信した後に、バックオフカウンタ値を１だけ減らす段階を含む。
【００９０】
方法３．局が、第１のトリガフレームを受信した後に、ＯＦＤＭＡ競合方式に従ってバックオフを実行する段階は、局が、第１のトリガフレームを受信した後に、局が第１のトリガフレームから利用可能なサブチャネルを読み出すたびに、バックオフカウンタ値を１だけ減らす段階を含む。
【００９１】
方法３では、トリガフレームは、ランダムアクセス用の３つのサブチャネル１〜３が含まれていることを示すように設定されており、この場合、バックオフカウンタ値は２であることに留意されたい。局がサブチャネル１を読み出した後、ＢＯ＝１になり、局がサブチャネル２を読み出した後、ＢＯ＝０になり、局は、ランダムアクセス用のサブチャネルとしてサブチャネル２を選択し、サブチャネル２でアップリンクフレームを送信する。
【００９２】
ＯＦＤＭＡサブチャネル競合及びＣＳＭＡ／ＣＡ競合が、同じバックオフカウンタを共有し、２つの競合方式が異なるバックオフ速度を必要とする場合を考慮すると、異なる重み付け係数が異なるバックオフ段階に用いられる必要があることに留意されたい。
【００９３】
任意選択で、局が、サブチャネルにアクセスした後に、アップリンクフレームを送信する段階は、局が、ランダムアクセス用のサブチャネルから１つのサブチャネルをランダムに選択してアップリンクフレームを送信する段階、又は、局が、バックオフカウンタ値がちょうど０に減らされたサブチャネルを選択してアップリンクフレームを送信する段階を含む。
【００９４】
任意選択で、局が、フレーム間隔ＸＩＦＳの間にチャネルがアイドル状態であることを検出した後に、搬送波感知多元接続／衝突回避ＣＳＭＡ／ＣＡ方式を用いることでバックオフを実行する段階は、局が、フレーム間隔ＸＩＦＳの間にチャネルがアイドル状態であることを検出した後に、１つのタイムスロットの間にチャネルがアイドル状態である場合、チャネル状態がビジーに変わるまで、又はバックオフカウンタ値が０に減らされるまで、バックオフカウンタ値をαだけ減らす段階を含み、αは０より大きい又は０に等しい実数である。
【００９５】
αは、０．５、１、又は２などの値であってよい。当業者は、望ましい方式はαが１であり、この場合、それは、αが考慮されないことに相当することを理解している。αが整数ではない場合、丸め処理を実行する必要がある。丸め処理は、四捨五入、切り捨て、又は切り上げであってよく、用いられる具体的な丸め処理は概して、公平性を確保するために、規格によって指定される必要がある。
【００９６】
任意選択で、局がチャネルアクセスを実行する段階はさらに、局がアップリンクフレームの送信に失敗した場合、局が第２のトリガフレームを受信する段階であって、第２のトリガフレームはアクセスポイントによって送信され、第２のトリガフレームはコンテンションウィンドウ調整用のパラメータ又は目標ＣＷｏ値を含む、受信する段階と、局が、第２のトリガフレームを解析した後に、ＣＷｏを調整する段階とを含む。
【００９７】
アップリンクフレームを送信する局の障害には例えば、局間のチャネル競合により引き起こされる衝突、及び劣悪なチャネル状態による送信障害といった複数の理由があることに留意されたい。
【００９８】
具体的には、局が、第２のトリガフレームを解析した後に、ＣＷｏを調整する段階は、少なくとも３つより多くの方法を含む。
【００９９】
方法１．コンテンションウィンドウ調整用のパラメータを事前設定された閾値と比較し、当該パラメータが当該閾値より大きい場合はＣＷｏが増やされ、又は、当該パラメータが当該閾値より小さい若しくはそれと等しい場合はＣＷｏが変えずに維持される。
【０１００】
パラメータ及び閾値は、逆の形に定義され変えられ得るので、方法１はさらに、次のように等価的に説明されてよい。すなわち、コンテンションウィンドウ調整用のパラメータを事前設定された閾値と比較し、当該パラメータが当該閾値より小さい場合はＣＷｏが増やされ、又は、当該パラメータが当該閾値より大きい若しくはそれと等しい場合はＣＷｏが変えずに維持される。
【０１０１】
方法２．コンテンションウィンドウ調整用のパラメータを事前設定された２つの閾値と比較し、当該パラメータが第１の閾値より大きい場合はＣＷｏが増やされ、当該パラメータが第２の閾値より大きい且つ第１の閾値より小さい若しくはそれと等しい場合はＣＷｏが変えずに維持され、又は、当該パラメータが第２の閾値より小さい若しくはそれと等しい場合はＣＷｏが減らされる。
【０１０２】
パラメータ及び閾値は、逆の形に定義され変えられ得るので、方法２はさらに、次のように等価的に説明されてよい。すなわち、コンテンションウィンドウ調整用のパラメータを事前設定された２つの閾値と比較し、当該パラメータが第１の閾値より小さい場合はＣＷｏが増やされ、当該パラメータが第２の閾値より小さく且つ第１の閾値より大きい若しくはそれと等しい場合はＣＷｏが変えずに維持され、又は、当該パラメータが第２の閾値より大きい若しくはそれと等しい場合はＣＷｏが減らされる。
【０１０３】
方法１及び方法２の閾値は、規格によって規定されているか、又はブロードキャスト方式でＡＰによって通知されることに留意されたい。
【０１０４】
例えば、コンテンションウィンドウ調整用のパラメータ＝衝突が発生するサブチャネルの数／（ランダム競合のサブチャネルの数＋競合が成功したサブチャネルの数）である。あるいは、アクセスポイントが、前のラウンドで衝突が発生したサブチャネルの数、競合が成功したサブチャネルの数、及びランダム競合のサブチャネルの全て又は一部の数をトリガフレームに示す。局は、アクセスポイントによって示されたパラメータに従って、コンテンションウィンドウ調整用のパラメータを生成し、コンテンションウィンドウ調整用のパラメータはＣＷｏの調整に用いられる。
【０１０５】
方法３．局は、調整前のＣＷｏ値を目標ＣＷｏ値と比較する。
【０１０６】
ＣＷｏが目標ＣＷｏ値より大きい場合は、ＣＷｏが減らされる。
【０１０７】
ＣＷｏが目標ＣＷｏ値と等しい場合は、ＣＷｏが変えずに維持される。
【０１０８】
ＣＷｏが目標ＣＷｏ値より小さい場合は、ＣＷｏが増やされる。
【０１０９】
任意選択で、別の実施形態において、ビーコンフレーム（Ｂｅａｃｏｎ）又はトリガフレームが、トリガフレームの次の送信時間を前もって示す場合、バックオフカウンタがどのように機能するかについての説明は以下の通りである。
【０１１０】
ビーコンフレーム又はトリガフレームが、トリガフレームの次の目標送信時間を示す場合、トリガフレームの次の目標送信時間が来る前は、バックオフカウンタのバックオフ方法は変えずに維持され、既存の規格のＣＳＭＡ／ＣＡ時間ドメインバックオフに従って、又は本特許の別の実施形態の方式に従ってバックオフが実行される。トリガフレームの次の目標送信時間が来た後、トリガフレームが受信される前に、局は、チャネルがビジー状態かアイドル状態かに関係なく、バックオフカウンタのバックオフの実行を中止する。
【０１１１】
任意選択で、別の実施形態において、アクセスポイントによって送信されたトリガフレームを局が受信した場合、バックオフカウンタ値からトリガフレームに示されたランダムアクセス用のサブチャネルの数を引いた結果が、０より大きくなる。ＣＷｏの生成を制御するためのパラメータ、又はトリガフレームのバックオフカウンタが、（局によって前に生成されたバックオフカウンタ値と比較して）変化した場合、バックオフカウンタをどのように設定するかについての説明は以下の通りである。
【０１１２】
第１の方法。
【０１１３】
局は、現在のバックオフカウンタ値を変えずに維持し、ＡＰと関連付けられたパラメータを生成するバックオフカウンタの変化を無視する。簡単ではあるが、アクセスポイント制御パラメータの変化が考慮されないので、本方法は十分効率がよいとは言えない。
【０１１４】
第２の方法。
【０１１５】
局が、アクセスポイントと関連付けられたパラメータを生成するバックオフカウンタに従って、新たなバックオフカウンタ値を生成し、現在のバックオフカウンタ値を新たなバックオフカウンタ値に設定する。本方法は、アクセスポイント制御パラメータの変化が考慮されているということを特徴としており、アクセス効率の改善に役立つが、過去のバックオフ処理が考慮されていない。したがって、公平性の課題が局間に存在する（例えば、特定の局のバックオフ期間後に、現在のバックオフカウンタ値は非常に小さいが、アクセスポイント調整パラメータに従って再生成されたバックオフカウンタ値が非常に大きい）。しかし、長期統計の観点からは、この課題はまだ、局間で公平である。
【０１１６】
従来技術１と比較すると、本発明の本実施形態では、無線ローカルエリアネットワークのチャネルアクセス処理において、１つのバックオフカウンタが、ＯＦＤＭＡサブチャネルアクセス及びＣＳＭＡ／ＣＡチャネルアクセスに用いられ、システムの複雑さが低減される。さらに、ＯＦＤＭＡサブチャネルアクセス処理において、ランダムチャネルアクセスが用いられ、システムのアクセス効率が改善される。
［実施形態３］
【０１１７】
図６は、本発明の実施形態３による、無線ローカルエリアネットワークのチャネルアクセス装置に関する概略ブロック図である。例えば、データ送信装置は局であるか、又は関連機能を実装する専用回路若しくはチップである。図６に示されるチャネルアクセス装置１００は、生成ユニット１０１、バックオフユニット１０２、処理ユニット１０３、及び送受信機ユニット１０４を含む。例えば、チャネルアクセス装置１００は、図１に示されるＡＰ又はＳＴＡ１からＳＴＡ３であってよい。
【０１１８】
生成ユニット１０１は、バックオフカウンタ値を生成するように構成されており、バックオフカウンタ値は、０以上ＣＷｏ以下の範囲からランダムに選択され、ＣＷｏは、直交周波数分割多元接続ＯＦＤＭＡサブチャネル競合のコンテンションウィンドウであり、ＣＷｏは０より大きい整数である。
【０１１９】
バックオフユニット１０２は、バックオフを実行するように構成されており、バックオフの処理は、ランダムアクセス用のサブチャネルの数Ｎをバックオフカウンタ値から差し引いて、新たなバックオフカウンタ値を取得することを含む。
【０１２０】
処理ユニット１０３は、バックオフカウンタ値が０より大きいかどうかを判定する判定処理を実行するように構成されている。
【０１２１】
送受信機ユニット１０４は、第１のトリガフレームを受信するように構成されており、第１のトリガフレームはアクセスポイントによって送信され、第１のトリガフレームは、ランダムアクセス用のサブチャネルの数がＮであることを示し、Ｎは０より大きい又は０に等しい整数である。
【０１２２】
送受信機ユニット１０４はさらに、ランダムアクセス用のサブチャネルのうち１つのサブチャネルで、アップリンクフレームを送信することを含むチャネルアクセスを実行するように構成されている。
【０１２３】
任意選択で、送受信機ユニットがチャネルアクセスを実行することはさらに、送受信機ユニットがアップリンクフレームの送信に失敗した場合、送受信機ユニットが第２のトリガフレームを受信することであって、第２のトリガフレームはアクセスポイントによって送信され、第２のトリガフレームはコンテンションウィンドウ調整用のパラメータ又は目標ＣＷｏ値を含む、受信することと、処理ユニットが、第２のトリガフレームを解析した後に、ＣＷｏを調整することとを含む。
【０１２４】
任意選択で、処理ユニットが、第２のトリガフレームを解析した後に、ＣＷｏを調整することは、少なくとも３つの方法を含む。
【０１２５】
方法１．コンテンションウィンドウ調整用のパラメータを事前設定された閾値と比較し、当該パラメータが当該閾値より大きい場合はＣＷｏが増やされ、又は、当該パラメータが当該閾値より小さい若しくはそれと等しい場合はＣＷｏが変えずに維持される。
【０１２６】
方法２．コンテンションウィンドウ調整用のパラメータを事前設定された２つの閾値と比較し、当該パラメータが第１の閾値より大きい場合はＣＷｏが増やされ、当該パラメータが第２の閾値より大きい且つ第１の閾値より小さい若しくはそれと等しい場合はＣＷｏが変えずに維持され、又は、当該パラメータが第２の閾値より小さい若しくはそれと等しい場合はＣＷｏが減らされる。
【０１２７】
方法３．局が調整前のＣＷｏ値を目標ＣＷｏ値と比較し、ＣＷｏが目標ＣＷｏ値より大きい場合はＣＷｏが減らされ、ＣＷｏが目標ＣＷｏ値と等しい場合はＣＷｏが変えずに維持され、又は、ＣＷｏが目標ＣＷｏ値より小さい場合はＣＷｏが増やされる。
【０１２８】
本発明の本実施形態によると、無線ローカルエリアネットワークのチャネルアクセス処理では、生成ユニットがバックオフカウンタ値を生成し、次に送受信機ユニットが、第１のトリガフレームを受信した後に、バックオフユニットがバックオフの処理を実行する。バックオフの処理は、ランダムアクセス用のサブチャネルの数Ｎをバックオフカウンタ値から差し引いて、新たなバックオフカウンタ値を取得することと、新たなバックオフカウンタ値が０又は負の数である場合、送受信機ユニットが、ランダムアクセス用のサブチャネルから１つのサブチャネルをランダムに選択し、次に当該サブチャネルにアクセスしてアップリンクフレームを送信することとを含む。上述の方法を用いることで、システムのアクセス効率が改善され、システムリソースの無駄が避けられる。
［実施形態４］
【０１２９】
図７は、本発明の実施形態４による、無線ローカルエリアネットワークのチャネルアクセス装置に関する概略ブロック図である。例えば、データ送信装置は局であるか、又は関連機能を実装する専用回路若しくはチップである。図７に示されるチャネルアクセス装置２００は、生成ユニット２０１、バックオフユニット２０２、処理ユニット２０３、及び送受信機ユニット２０４を含む。例えば、チャネルアクセス装置２００は、図１に示されるＡＰ又はＳＴＡ１からＳＴＡ３であってよい。
【０１３０】
生成ユニット２０１は、バックオフカウンタ値を生成するように構成されている。
【０１３１】
バックオフユニット２０２は、バックオフを実行してバックオフカウンタ値を更新するように構成されており、具体的には、送受信機ユニットが、フレーム間隔ＸＩＦＳの間にチャネルがアイドル状態であることを検出した後に、搬送波感知多元接続／衝突回避ＣＳＭＡ／ＣＡ方式を用いることでバックオフを実行すること、又は送受信機ユニットが、第１のトリガフレームを受信した後に、ＯＦＤＭＡ競合方式に従ってバックオフを実行することを含み、第１のトリガフレームはランダムアクセス用のサブチャネルの数Ｎを示し、Ｎは０より大きい又は０に等しい整数である。
【０１３２】
処理ユニット２０３は、バックオフカウンタ値が０より大きいかどうかを判定する判定処理を実行するように構成されている。
【０１３３】
送受信機ユニット２０４はさらに、チャネルアクセスを実行するように構成されており、段階Ｂ１を実行することでバックオフカウンタ値が０に減らされた場合、送受信機ユニットがチャネル全体を用いることでアップリンクフレームを送信する、又は段階Ｂ２を実行することでバックオフカウンタ値が０又は負の数に減らされた場合、送受信機ユニットが、ランダムアクセス用のサブチャネルにアクセスした後に、アップリンクフレームを送信することを含む。
【０１３４】
任意選択で、送受信機ユニットが、第１のトリガフレームを受信した後に、ＯＦＤＭＡ競合方式に従ってバックオフを実行することは、送受信機ユニットが、第１のトリガフレームを受信した後に、バックオフカウンタ値をβＮだけ減らすことを含み、ここでβは０より大きい又は０に等しい実数である。
【０１３５】
任意選択で、送受信機ユニットが、第１のトリガフレームを受信した後に、ＯＦＤＭＡ競合方式に従ってバックオフを実行することは、少なくとも３つの方法を含む。
【０１３６】
方法１．送受信機ユニットが第１のトリガフレームを受信した後に、バックオフカウンタ値が１だけ減らされる。
【０１３７】
方法２．送受信機ユニットが第１のトリガフレームを受信した後に、処理ユニットが第１のトリガフレームから利用可能なサブチャネルを読み出すたびに、バックオフカウンタ値が１だけ減らされる。
【０１３８】
方法３．送受信機ユニットが、ランダムアクセス用のサブチャネルから１つのサブチャネルをランダムに選択してアップリンクフレームを送信する、又は送受信機ユニットが、バックオフカウンタ値がちょうど０に減らされたサブチャネルを選択してアップリンクフレームを送信する。
【０１３９】
任意選択で、送受信機ユニットが、フレーム間隔ＸＩＦＳの間にチャネルがアイドル状態であることを検出した後に、搬送波感知多元接続／衝突回避ＣＳＭＡ／ＣＡ方式を用いることでバックオフを実行する段階は、送受信機ユニットが、フレーム間隔ＸＩＦＳの間にチャネルがアイドル状態であることを検出した後に、１つのタイムスロットの間にチャネルがアイドル状態である場合、チャネル状態がビジーに変わるまで、又はバックオフカウンタ値が０に減らされるまで、バックオフカウンタ値をαだけ減らす段階を含み、αは０より大きい又は０に等しい実数である。
【０１４０】
任意選択で、送受信機ユニットがチャネルアクセスを実行することはさらに、送受信機ユニットがアップリンクフレームの送信に失敗した場合、送受信機ユニットが第２のトリガフレームを受信することであって、第２のトリガフレームはアクセスポイントによって送信され、第２のトリガフレームは、コンテンションウィンドウ調整用のパラメータ又は目標コンテンションウィンドウＣＷｏ値を含む、受信することと、処理ユニットが、第２のトリガフレームを解析した後に、ＣＷｏを調整することであって、ＣＷｏは直交周波数分割多元接続ＯＦＤＭＡサブチャネル競合のコンテンションウィンドウである、調整することとを含む。
【０１４１】
具体的には、処理ユニットが、第２のトリガフレームを解析した後に、コンテンションウィンドウＣＷｏを調整することは、少なくとも３つの方法を含む。
【０１４２】
方法１．コンテンションウィンドウ調整用のパラメータを事前設定された閾値と比較し、当該パラメータが当該閾値より大きい場合はＣＷｏが増やされ、又は、当該パラメータが当該閾値より小さい若しくはそれと等しい場合はＣＷｏが変えずに維持される。
【０１４３】
方法２．コンテンションウィンドウ調整用のパラメータを事前設定された２つの閾値と比較し、当該パラメータが第１の閾値より大きい場合はＣＷｏが増やされ、当該パラメータが第２の閾値より大きい且つ第１の閾値より小さい若しくはそれと等しい場合はＣＷｏが変えずに維持され、又は、当該パラメータが第２の閾値より小さい若しくはそれと等しい場合はＣＷｏが減らされる。
【０１４４】
方法３．処理ユニットが、第２のトリガフレームを解析した後に、コンテンションウィンドウＣＷｏを調整することは具体的には、局が調整前のＣＷｏ値を目標ＣＷｏ値と比較することと、ＣＷｏが目標ＣＷｏ値より大きい場合はＣＷｏを減らし、ＣＷｏが目標ＣＷｏ値と等しい場合はＣＷｏを変えずに維持し、又は、ＣＷｏが目標ＣＷｏ値より小さい場合はＣＷｏを増やすこととを含む。
【０１４５】
本発明の本実施形態によると、無線ローカルエリアネットワークのチャネルアクセス処理において、１つのバックオフカウンタが、ＯＦＤＭＡサブチャネルアクセス及びＣＳＭＡ／ＣＡチャネルアクセスに用いられ、システムの複雑さが低減される。さらに、ＯＦＤＭＡサブチャネルアクセス処理において、ランダムチャネルアクセスが用いられ、システムのアクセス効率が改善される。
［実施形態５］
【０１４６】
これに対応して、実施形態５が、プロセッサを含むチャネルアクセスデバイスを提供する。特定のチャネルアクセス方法については、（図２〜図５に示されるような）上述の実施形態の方法を参照のこと。詳細はここで再度説明されない。プロセッサは、汎用プロセッサ、デジタル信号プロセッサ、特定用途向け集積回路、フィールドプログラマブルゲートアレイ、若しくは別のプログラマブル論理デバイス、個別のゲート若しくはトランジスタ論理デバイス、又は個別のハードウェアコンポーネントであってよく、プロセッサは、本発明の実施形態に開示された方法、段階、及び論理ブロック図を実装又は実行してよい。汎用プロセッサは、マイクロプロセッサ、又は任意の従来のプロセッサなどであってよい。本発明の実施形態を参照して開示された方法の各段階は、ハードウェアプロセッサによって直接実行されてよく、又は、プロセッサのハードウェアとソフトウェアモジュールとの組み合わせを用いることで実行されてよい。チャネルが競合する場合、上述のチャネルアクセスデバイスが局の中に位置し得ることは、理解しやすい。
【０１４７】
図８は、本発明の実施形態５によるチャネルアクセスデバイス局のブロック図である。インタフェース３０１、プロセッサ３０２、及びメモリ３０３が図８に含まれている。プロセッサ３０２は、局３００の動作を制御する。メモリ３０３は、リードオンリメモリ及びランダムアクセスメモリを含んでよく、命令及びデータをプロセッサ３０２に提供してよい。メモリ３０３の一部がさらに、不揮発性ランダムアクセスメモリ（ＮＶＲＡＭ）を含んでよい。局３００のコンポーネントが、バスシステム３０９を用いることで、共に結合されている。データバスに加えて、バスシステム３０９は、電力バス、制御バス、及びステータス信号バスを含む。しかし、説明を明確にする目的で、この図の様々な種類のバスがバスシステム３０９として表されている。
【０１４８】
上述の本発明の実施形態に開示されたチャネルアクセス方法は、処理ユニット３０２に適用されてよく、又は処理ユニット３０２によって実装されてよい。一実装プロセスにおいて、上述の方法の各段階は、処理ユニット３０２のハードウェアの統合ロジック回路、又はソフトウェアの形態の命令を用いることで遂行されてよい。処理ユニット３０２は、汎用プロセッサ、デジタル信号プロセッサ、特定用途向け集積回路、フィールドプログラマブルゲートアレイ、若しくは別のプログラマブル論理デバイス、個別のゲート若しくはトランジスタ論理デバイス、又は個別のハードウェアコンポーネントであってよく、プロセッサは、本発明の実施形態に開示された方法、段階、及び論理ブロック図を実装又は実行してよい。汎用プロセッサは、マイクロプロセッサ、又は任意の従来のプロセッサなどであってよい。本発明の実施形態を参照して開示された方法の各段階は、ハードウェアプロセッサによって直接実行されてよく、又は、プロセッサのハードウェアとソフトウェアモジュールとの組み合わせを用いることで実行されてよい。ソフトウェアモジュールが、ランダムアクセスメモリ、フラッシュメモリ、リードオンリメモリ、プログラマブルリードオンリメモリ、電気的消去可能プログラマブルメモリ、又はレジスタなど、当技術分野の成熟した記憶媒体に位置してよい。本記憶媒体はメモリ３０３に位置しており、処理ユニット３０２は、メモリ３０３から情報を読み出し、プロセッサのハードウェアと組み合わせて上述の方法の各段階を遂行する。
【０１４９】
上述の実施形態は、単に本発明の技術的解決法を説明することを意図しているだけであって、本発明を限定することを意図するものではない。本発明は上述の実施形態を参照して詳細に説明されているが、当業者は依然として、本発明の実施形態の技術的解決法の範囲から逸脱することなく、上述の実施形態で説明された技術的解決法に修正を行うことができ、又は、その一部の技術的特徴に均等な置換を行うことができることを理解されたい。
【図１】
2020061775.tif 000003
【図２】
2020061775.tif 000004
【図３】
2020061775.tif 000005
【図４】
2020061775.tif 000006
【図５】
2020061775.tif 000007
【図６】
2020061775.tif 000008
【図７】
2020061775.tif 000009
【図８】
2020061775.tif 000010
【手続補正書】
【提出日】令和2年1月6日(2020.1.6)
【手続補正１】
【補正対象書類名】特許請求の範囲
【補正対象項目名】全文
【補正方法】変更
【補正の内容】
【特許請求の範囲】
【請求項１】
無線ローカルエリアネットワークに適用されるチャネルアクセス方法であって、
局がバックオフカウンタ値を生成する段階であって、前記バックオフカウンタ値は、０以上ＣＷｏ以下の範囲からランダムに選択され、ＣＷｏは、直交周波数分割多元接続（ＯＦＤＭＡ）サブチャネル競合のコンテンションウィンドウであり、ＣＷｏは０より大きい整数である、生成する段階と、
前記局が第１のトリガフレームを受信する段階であって、前記第１のトリガフレームはアクセスポイントによって送信され、前記第１のトリガフレームは、ランダムアクセス用のサブチャネルの数がＮであることを示し、Ｎは０より大きい整数である、受信する段階と、
前記バックオフカウンタ値がランダムアクセス用のサブチャネルの数Ｎよりも大きくない場合に、前記局が、ランダムアクセス用の前記サブチャネルから１つのサブチャネルをランダムに選択して、アップリンクフレームを送信する段階と
を備える、方法。
【請求項２】
前記バックオフカウンタ値がランダムアクセス用のサブチャネルの数Ｎよりも大きい場合に、ランダムアクセス用のサブチャネルの数Ｎだけ前記バックオフカウンタ値を減らす段階をさらに備える、請求項１に記載の方法。
【請求項３】
前記局が前記アップリンクフレームの送信に失敗した場合、前記局が第２のトリガフレームを受信する段階であって、前記第２のトリガフレームは前記アクセスポイントによって送信され、前記第２のトリガフレームはコンテンションウィンドウ調整用のパラメータ又は目標ＣＷｏ値を含む、受信する段階と、
前記局が、前記第２のトリガフレームを解析した後に、ＣＷｏを調整する段階と
をさらに備える、請求項１または２に記載の方法。
【請求項４】
前記局が、前記第２のトリガフレームを解析した後に、ＣＷｏを前記調整する段階は、
コンテンションウィンドウ調整用の前記パラメータを事前設定された閾値と比較する段階と、
前記パラメータが前記閾値より大きい場合はＣＷｏを増やし、又は、
前記パラメータが前記閾値より小さい若しくはそれと等しい場合はＣＷｏを変えずに維持する段階とを含む、請求項３に記載の方法。
【請求項５】
前記局が、前記第２のトリガフレームを解析した後に、ＣＷｏを前記調整する段階は、
コンテンションウィンドウ調整用の前記パラメータを事前設定された２つの閾値と比較する段階と、
前記パラメータが第１の閾値より大きい場合はＣＷｏを増やし、
前記パラメータが第２の閾値より大きい且つ前記第１の閾値より小さい若しくはそれと等しい場合はＣＷｏを変えずに維持し、又は、
前記パラメータが前記第２の閾値より小さい若しくはそれと等しい場合はＣＷｏを減らす段階とを含む、請求項３に記載の方法。
【請求項６】
前記局が、前記第２のトリガフレームを解析した後に、ＣＷｏを前記調整する段階は、
前記局が調整前のＣＷｏ値を前記目標ＣＷｏ値と比較する段階と、
ＣＷｏが前記目標ＣＷｏ値より大きい場合はＣＷｏを減らし、
ＣＷｏが前記目標ＣＷｏ値と等しい場合はＣＷｏを変えずに維持し、又は、
ＣＷｏが前記目標ＣＷｏ値より小さい場合はＣＷｏを増やす段階とを含む、請求項３に記載の方法。
【請求項７】
無線ローカルエリアネットワークに適用されるチャネルアクセスの装置であって、
プロセッサと、命令を記憶する記憶媒体とを備え、
前記命令は、前記プロセッサにより実行される場合に当該装置に、
バックオフカウンタ値を生成することであって、前記バックオフカウンタ値は０以上ＣＷｏ以下の範囲からランダムに選択され、ＣＷｏは直交周波数分割多元接続（ＯＦＤＭＡ）サブチャネル競合のコンテンションウィンドウであり、ＣＷｏは０より大きい整数である、生成することと、
第１のトリガフレームを受信することであって、前記第１のトリガフレームはアクセスポイントによって送信され、前記第１のトリガフレームは、ランダムアクセス用のサブチャネルの数がＮであることを示し、Ｎは０より大きい整数である、受信することと、
前記バックオフカウンタ値がランダムアクセス用の前記サブチャネルの数Ｎよりも大きくない場合に、ランダムアクセス用の前記サブチャネルから１つのサブチャネルをランダムに選択してアップリンクフレームを送信することと、
ランダムアクセス用の前記サブチャネルの選択された前記サブチャネルで前記アップリンクフレームを送信することと
を実行させる、
装置。
【請求項８】
前記命令は、前記プロセッサにより実行される場合に当該装置に、
前記バックオフカウンタ値がランダムアクセス用の前記サブチャネルの数Ｎより大きい場合に、前記バックオフカウンタ値をランダムアクセス用の前記サブチャネルの数Ｎだけ減らすことをさらに実行させる、請求項７に記載の装置。
【請求項９】
前記命令は、前記プロセッサにより実行される場合に当該装置に、
前記アップリンクフレームの送信に失敗した場合、第２のトリガフレームを受信することであって、前記第２のトリガフレームは前記アクセスポイントによって送信され、前記第２のトリガフレームはコンテンションウィンドウ調整用のパラメータ又は目標ＣＷｏ値を含む、受信することと、
前記第２のトリガフレームを解析した後に、ＣＷｏを調整することと
をさらに実行させる、請求項７または８に記載の装置。
【請求項１０】
前記命令は、前記プロセッサにより実行される場合に当該装置に、
コンテンションウィンドウ調整用の前記パラメータを事前設定された閾値と比較することと、
前記パラメータが前記閾値より大きい場合はＣＷｏを増やし、又は、
前記パラメータが前記閾値より小さい若しくはそれと等しい場合はＣＷｏを変えずに維持することとをさらに実行させる、請求項９に記載の装置。
【請求項１１】
前記命令は、前記プロセッサにより実行される場合に当該装置に、
コンテンションウィンドウ調整用の前記パラメータを事前設定された２つの閾値と比較することと、
前記パラメータが第１の閾値より大きい場合はＣＷｏを増やし、
前記パラメータが第２の閾値より大きい且つ前記第１の閾値より小さい若しくはそれと等しい場合はＣＷｏを変えずに維持し、又は、
前記パラメータが前記第２の閾値より小さい若しくはそれと等しい場合はＣＷｏを減らすこととをさらに実行させる、請求項９に記載の装置。
【請求項１２】
前記命令は、前記プロセッサにより実行される場合に当該装置に、
局が調整前のＣＷｏ値を前記目標ＣＷｏ値と比較することと、
ＣＷｏが前記目標ＣＷｏ値より大きい場合はＣＷｏを減らし、
ＣＷｏが前記目標ＣＷｏ値と等しい場合はＣＷｏを変えずに維持し、又は、
ＣＷｏが前記目標ＣＷｏ値より小さい場合はＣＷｏを増やすこととをさらに実行させる、請求項９に記載の装置。
【手続補正２】
【補正対象書類名】明細書
【補正対象項目名】全文
【補正方法】変更
【補正の内容】
【発明の詳細な説明】
【技術分野】
【０００１】
本出願は通信技術の分野に関し、具体的には、チャネルアクセス方法及び装置に関する。
【背景技術】
【０００２】
直交周波数分割多元接続（英語名称：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ、ＯＦＤＭＡ）チャネルアクセスは、次世代無線ローカルエリアネットワーク（英語名称：Ｗｉｒｅｌｅｓｓ  Ｌｏｃａｌ  Ａｒｅａ  Ｎｅｔｗｏｒｋ、ＷＬＡＮ）８０２．１１ａｘ規格で議論されているホットスポット技術である。この技術では、チャネルが複数のサブチャネルに分割されており、次に、複数の局が、アップリンクフレームを送信するためのサブチャネルをそれぞれ選択する。この技術によって、複数の局がアップリンクフレームを周波数ドメインにおいて同時に送信することが可能になるので、局間の衝突が緩和される。
【０００３】
従来技術のＯＦＤＭＡサブチャネルアクセスによる解決法のアクセス効率は、さらに改善される必要がある。さらに、既存の解決法では、ＯＦＤＭＡチャネルアクセス及び従来の搬送波感知多元接続／衝突回避（ＣＳＭＡ／ＣＡ）チャネルアクセスに対して、２つのバックオフカウンタが、バックオフをそれぞれ実行するのに用いられており、システムの複雑さが増している。
【発明の概要】
【０００４】
このような事情を考慮して、本出願は、システムのアクセス効率を改善するために、新たなＯＦＤＭＡチャネルアクセス方法及び装置を提供する。さらに、ＯＦＤＭＡチャネルアクセス処理及びＣＳＭＡ／ＣＡチャネルアクセス処理に対して、１つのバックオフカウンタを用いてバックオフを実行することができ、これにより、システムの複雑さが低減される。
【０００５】
第１の態様によると、本出願の一実施形態がチャネルアクセス方法を提供し、本方法は無線ローカルエリアネットワークに適用され、以下の段階を含む。
Ａ．局がバックオフカウンタ値を生成する段階。バックオフカウンタ値は、０以上ＣＷｏ以下の範囲からランダムに選択され、ＣＷｏは、直交周波数分割多元接続ＯＦＤＭＡサブチャネル競合のコンテンションウィンドウであり、ＣＷｏは０より大きい整数である。
Ｂ．局が第１のトリガフレームを受信する段階。第１のトリガフレームはアクセスポイントによって送信され、第１のトリガフレームは、ランダムアクセス用のサブチャネルの数がＮであることを示し、Ｎは０より大きい又は０に等しい整数である。
Ｃ．局がバックオフを実行する段階。バックオフの処理は、バックオフカウンタ値からランダムアクセス用のサブチャネルの数Ｎを差し引いて、新たなバックオフカウンタ値を取得する段階と、新たなバックオフカウンタ値が０又は負の数である場合は段階Ｄを実行し、新たなバックオフカウンタ値が０より大きい場合は段階Ｂを実行する段階とを含む。
Ｄ．局がチャネルアクセスを実行する段階。局が、ランダムアクセス用のサブチャネルから１つのサブチャネルをランダムに選択して、アップリンクフレームを送信する段階を含む。
【０００６】
第１の態様に関連して、第１の態様の第１の可能な実装方式では、局がチャネルアクセスを実行する段階はさらに、局がアップリンクフレームの送信に失敗した場合、局が第２のトリガフレームを受信する段階であって、第２のトリガフレームはアクセスポイントによって送信され、第２のトリガフレームはコンテンションウィンドウ調整用のパラメータ又は目標ＣＷｏ値を含む、受信する段階と、局が、第２のトリガフレームを解析した後に、ＣＷｏを調整する段階とを含む。
【０００７】
第１の態様の第１の可能な実装方式に関連して、第１の態様の第２の可能な実装方式では、局が、第２のトリガフレームを解析した後に、ＣＷｏを調整する段階は具体的には、コンテンションウィンドウ調整用のパラメータを事前設定された閾値と比較する段階と、当該パラメータが当該閾値より大きい場合はＣＷｏを増やし、又は、当該パラメータが当該閾値より小さい若しくはそれと等しい場合はＣＷｏを変えずに維持する段階とを含む。
【０００８】
第１の態様の第１の可能な実装方式に関連して、第１の態様の第３の可能な実装方式では、局が、第２のトリガフレームを解析した後に、ＣＷｏを調整する段階は具体的には、コンテンションウィンドウ調整用のパラメータを事前設定された２つの閾値と比較する段階と、当該パラメータが第１の閾値より大きい場合はＣＷｏを増やし、当該パラメータが第２の閾値より大きく且つ第１の閾値より小さい若しくはそれと等しい場合はＣＷｏを変えずに維持し、又は、当該パラメータが第２の閾値より小さい若しくはそれと等しい場合はＣＷｏを減らす段階とを含む。
【０００９】
第１の態様の第１の可能な実装方式に関連して、第１の態様の第４の可能な実装方式では、局が、第２のトリガフレームを解析した後に、ＣＷｏを調整する段階は具体的には、局が調整前のＣＷｏ値を目標ＣＷｏ値と比較する段階と、ＣＷｏが目標ＣＷｏ値より大きい場合はＣＷｏを減らし、ＣＷｏが目標ＣＷｏ値と等しい場合はＣＷｏを変えずに維持し、又は、ＣＷｏが目標ＣＷｏ値より小さい場合はＣＷｏを増やす段階とを含む。
【００１０】
第２の態様によると、本出願の一実施形態がチャネルアクセス方法を提供し、本方法は無線ローカルエリアネットワークに適用され、以下の段階を含む。
Ａ．局がバックオフカウンタ値を生成する段階。
Ｂ．局がバックオフを実行し、バックオフカウンタ値を更新する段階。具体的には下記の段階を含む。
Ｂ１．局が、フレーム間隔ＸＩＦＳの間にチャネルがアイドル状態であることを検出した後に、搬送波感知多元接続／衝突回避ＣＳＭＡ／ＣＡ方式を用いることでバックオフを実行する段階。
Ｂ２．局が、第１のトリガフレームを受信した後に、ＯＦＤＭＡ競合方式に従ってバックオフを実行する段階。第１のトリガフレームはランダムアクセス用のサブチャネルの数Ｎを示し、Ｎは０より大きい又は０に等しい整数であり、段階Ｂ１及び段階Ｂ２では、同じバックオフカウンタを用いることでバックオフが実行され、更新されたバックオフカウンタ値が０又は負の数である場合は段階Ｃが実行され、更新されたバックオフカウンタ値が０より大きい場合は段階Ｂが実行される。
Ｃ．局がチャネルアクセスを実行する段階。具体的には、段階Ｂ１を実行することでバックオフカウンタ値が０に減らされた場合、局がチャネル全体を用いることでアップリンクフレームを送信する、又は段階Ｂ２を実行することでバックオフカウンタ値が０又は負の数に減らされた場合、局が、ランダムアクセス用のサブチャネルにアクセスした後に、アップリンクフレームを送信する段階を含む。
【００１１】
第２の態様に関連して、第２の態様の第１の可能な実装方式では、局が、第１のトリガフレームを受信した後に、ＯＦＤＭＡ競合方式に従ってバックオフを実行する段階は、局が、第１のトリガフレームを受信した後に、バックオフカウンタ値をβＮだけ減らす段階を含み、ここでβは０より大きい又は０に等しい実数である。
【００１２】
第２の態様に関連して、第２の態様の第２の可能な実装方式では、局が、第１のトリガフレームを受信した後に、ＯＦＤＭＡ競合方式に従ってバックオフを実行する段階は、局が、第１のトリガフレームを受信した後に、バックオフカウンタ値を１だけ減らす段階を含む。
【００１３】
第２の態様に関連して、第２の態様の第３の可能な実装方式では、局が、第１のトリガフレームを受信した後に、ＯＦＤＭＡ競合方式に従ってバックオフを実行する段階は、局が、第１のトリガフレームを受信した後に、局が第１のトリガフレームから利用可能なサブチャネルを読み出すたびに、バックオフカウンタ値を１だけ減らす段階を含む。
【００１４】
第２の態様及び上述の実装方式に関連して、第２の態様の第４の可能な実装方式では、局が、サブチャネルにアクセスした後に、アップリンクフレームを送信する段階は、局が、ランダムアクセス用のサブチャネルから１つのサブチャネルをランダムに選択してアップリンクフレームを送信する段階、又は、局が、バックオフカウンタ値がちょうど０に減らされたサブチャネルを選択してアップリンクフレームを送信する段階を含む。
【００１５】
第２の態様及び上述の実装方式に関連して、第２の態様の第５の可能な実装方式では、局が、フレーム間隔ＸＩＦＳの間にチャネルがアイドル状態であることを検出した後に、搬送波感知多元接続／衝突回避ＣＳＭＡ／ＣＡ方式を用いることでバックオフを実行する段階は、局が、フレーム間隔ＸＩＦＳの間にチャネルがアイドル状態であることを検出した後に、１つのタイムスロットの間にチャネルがアイドル状態である場合、チャネル状態がビジーに変わるまで、又はバックオフカウンタ値が０に減らされるまで、バックオフカウンタ値をαだけ減らす段階を含み、αは０より大きい又は０に等しい実数である。
【００１６】
第２の態様の第５の可能な実装方式に関連して、第２の態様の第６の可能な実装方式では、局がチャネルアクセスを実行する段階はさらに、局がアップリンクフレームの送信に失敗した場合、局が第２のトリガフレームを受信する段階であって、第２のトリガフレームはアクセスポイントによって送信され、第２のトリガフレームは、コンテンションウィンドウ調整用のパラメータ又は目標コンテンションウィンドウＣＷｏ値を含む、受信する段階と、局が、第２のトリガフレームを解析した後に、ＣＷｏを調整する段階であって、ＣＷｏは直交周波数分割多元接続ＯＦＤＭＡサブチャネル競合のコンテンションウィンドウである、調整する段階とを含む。
【００１７】
第２の態様の第６の可能な実装方式に関連して、第２の態様の第７の可能な実装方式では、局が、第２のトリガフレームを解析した後に、コンテンションウィンドウＣＷｏを調整する段階は具体的には、コンテンションウィンドウ調整用のパラメータを事前設定された閾値と比較する段階と、当該パラメータが当該閾値より大きい場合はＣＷｏを増やし、又は、当該パラメータが当該閾値より小さい若しくはそれと等しい場合はＣＷｏを変えずに維持する段階とを含む。
【００１８】
第２の態様の第６の可能な実装方式に関連して、第２の態様の第８の可能な実装方式では、局が、第２のトリガフレームを解析した後に、コンテンションウィンドウＣＷｏを調整する段階は具体的には、コンテンションウィンドウ調整用のパラメータを事前設定された２つの閾値と比較する段階と、当該パラメータが第１の閾値より大きい場合はＣＷｏを増やし、当該パラメータが第２の閾値より大きく且つ第１の閾値より小さい若しくはそれと等しい場合はＣＷｏを変えずに維持し、又は、当該パラメータが第２の閾値より小さい若しくはそれと等しい場合はＣＷｏを減らす段階とを含む。
【００１９】
第２の態様の第６の可能な実装方式に関連して、第２の態様の第９の可能な実装方式では、局が、第２のトリガフレームを解析した後に、コンテンションウィンドウＣＷｏを調整する段階は具体的には、局が調整前のＣＷｏ値を目標ＣＷｏ値と比較する段階と、ＣＷｏが目標ＣＷｏ値より大きい場合はＣＷｏを減らし、ＣＷｏが目標ＣＷｏ値と等しい場合はＣＷｏを変えずに維持し、又は、ＣＷｏが目標ＣＷｏ値より小さい場合はＣＷｏを増やす段階とを含む。
【００２０】
第３の態様によると、本出願の一実施形態がチャネルアクセス装置を提供し、本装置は無線ローカルエリアネットワークに適用され、以下のユニットを含む。すなわち、バックオフカウンタ値を生成するように構成された生成ユニットであって、バックオフカウンタ値は０以上ＣＷｏ以下の範囲からランダムに選択され、ＣＷｏは直交周波数分割多元接続ＯＦＤＭＡサブチャネル競合のコンテンションウィンドウであり、ＣＷｏは０より大きい整数である、生成ユニットと、バックオフを実行するように構成されたバックオフユニットであって、バックオフの処理は、バックオフカウンタ値からランダムアクセス用のサブチャネルの数Ｎを差し引いて、新たなバックオフカウンタ値を取得することを含む、バックオフユニットと、バックオフカウンタ値が０より大きいかどうかを判定する判定処理を実行するように構成された処理ユニットと、第１のトリガフレームを受信するように構成された送受信機ユニットであって、第１のトリガフレームはアクセスポイントによって送信され、第１のトリガフレームは、ランダムアクセス用のサブチャネルの数がＮであることを示し、Ｎは０より大きい又は０に等しい整数である、送受信機ユニットとであり、送受信機ユニットはさらに、ランダムアクセス用のサブチャネルの１つのサブチャネルで、アップリンクフレームを送信することを含むチャネルアクセスを実行するように構成されている。
【００２１】
第３の態様に関連して、第３の態様の第１の可能な実装方式では、送受信機ユニットがチャネルアクセスを実行することはさらに、送受信機ユニットがアップリンクフレームの送信に失敗した場合、送受信機ユニットが第２のトリガフレームを受信することであって、第２のトリガフレームはアクセスポイントによって送信され、第２のトリガフレームはコンテンションウィンドウ調整用のパラメータ又は目標ＣＷｏ値を含む、受信することと、処理ユニットが、第２のトリガフレームを解析した後に、ＣＷｏを調整することとを含む。
【００２２】
第３の態様の第１の可能な実装方式に関連して、第３の態様の第２の可能な実装方式では、処理ユニットが、第２のトリガフレームを解析した後に、ＣＷｏを調整することは具体的には、コンテンションウィンドウ調整用のパラメータを事前設定された閾値と比較することと、当該パラメータが当該閾値より大きい場合はＣＷｏを増やし、又は、当該パラメータが当該閾値より小さい若しくはそれと等しい場合はＣＷｏを変えずに維持することとを含む。
【００２３】
第３の態様の第１の可能な実装方式に関連して、第３の態様の第３の可能な実装方式では、処理ユニットが、第２のトリガフレームを解析した後に、ＣＷｏを調整することは具体的には、コンテンションウィンドウ調整用のパラメータを事前設定された２つの閾値と比較することと、当該パラメータが第１の閾値より大きい場合はＣＷｏを増やし、当該パラメータが第２の閾値より大きく且つ第１の閾値より小さい若しくはそれと等しい場合はＣＷｏを変えずに維持し、又は、当該パラメータが第２の閾値より小さい若しくはそれと等しい場合はＣＷｏを減らすこととを含む。
【００２４】
第３の態様の第１の可能な実装方式に関連して、第３の態様の第４の可能な実装方式では、処理ユニットが、第２のトリガフレームを解析した後に、ＣＷｏを調整することは具体的には、局が調整前のＣＷｏ値を目標ＣＷｏ値と比較することと、ＣＷｏが目標ＣＷｏ値より大きい場合はＣＷｏを減らし、ＣＷｏが目標ＣＷｏ値と等しい場合はＣＷｏを変えずに維持し、又は、ＣＷｏが目標ＣＷｏ値より小さい場合はＣＷｏを増やすこととを含む。
【００２５】
第４の態様によると、本出願の一実施形態がチャネルアクセス装置を提供し、本装置は無線ローカルエリアネットワークに適用され、以下のユニットを含む。すなわち、バックオフカウンタ値を生成するように構成された生成ユニットと、バックオフを実行してバックオフカウンタ値を更新するように構成されたバックオフユニットであって、この処理は具体的には、送受信機ユニットが、フレーム間隔ＸＩＦＳの間にチャネルがアイドル状態であることを検出した後に、搬送波感知多元接続／衝突回避ＣＳＭＡ／ＣＡ方式を用いることでバックオフを実行すること、又は送受信機ユニットが、第１のトリガフレームを受信した後に、ＯＦＤＭＡ競合方式に従ってバックオフを実行することを含み、第１のトリガフレームはランダムアクセス用のサブチャネルの数Ｎを示し、Ｎは０より大きい又は０に等しい整数である、バックオフユニットと、バックオフカウンタ値が０より大きいかどうかを判定する判定処理を実行するように構成された処理ユニットとであり、送受信機ユニットはさらに、段階Ｂ１を実行することでバックオフカウンタ値が０に減らされた場合、送受信機ユニットがチャネル全体を用いることでアップリンクフレームを送信すること、又は、段階Ｂ２を実行することでバックオフカウンタ値が０又は負の数に減らされた場合、送受信機ユニットが、ランダムアクセス用のサブチャネルにアクセスした後に、アップリンクフレームを送信することを含むチャネルアクセスを実行するように構成されている。
【００２６】
第４の態様に関連して、第４の態様の第１の可能な実装方式では、送受信機ユニットが、第１のトリガフレームを受信した後に、ＯＦＤＭＡ競合方式に従ってバックオフを実行することは、送受信機ユニットが、第１のトリガフレームを受信した後に、バックオフカウンタ値をβＮだけ減らすことを含み、ここでβは０より大きい又は０に等しい実数である。
【００２７】
第４の態様に関連して、第４の態様の第２の可能な実装方式では、送受信機ユニットが、第１のトリガフレームを受信した後に、ＯＦＤＭＡ競合方式に従ってバックオフを実行することは、送受信機ユニットが、第１のトリガフレームを受信した後に、バックオフカウンタ値を１だけ減らすことを含む。
【００２８】
第４の態様に関連して、第４の態様の第３の可能な実装方式では、送受信機ユニットが、第１のトリガフレームを受信した後に、ＯＦＤＭＡ競合方式に従ってバックオフを実行することは、送受信機ユニットが、第１のトリガフレームを受信した後に、処理ユニットが第１のトリガフレームから利用可能なサブチャネルを読み出すたびに、バックオフカウンタ値を１だけ減らすことを含む。
【００２９】
第４の態様及び上述の実装方式に関連して、第４の態様の第４の可能な実装方式では、送受信機ユニットが、サブチャネルにアクセスした後に、アップリンクフレームを送信することは、送受信機ユニットが、ランダムアクセス用のサブチャネルから１つのサブチャネルをランダムに選択してアップリンクフレームを送信する、又は、送受信機ユニットが、バックオフカウンタ値がちょうど０に減らされたサブチャネルを選択してアップリンクフレームを送信することを含む。
【００３０】
第４の態様及び上述の実装方式に関連して、第４の態様の第５の可能な実装方式では、送受信機ユニットが、フレーム間隔ＸＩＦＳの間にチャネルがアイドル状態であることを検出した後に、搬送波感知多元接続／衝突回避ＣＳＭＡ／ＣＡ方式を用いることでバックオフを実行する段階は、送受信機ユニットが、フレーム間隔ＸＩＦＳの間にチャネルがアイドル状態であることを検出した後に、１つのタイムスロットの間にチャネルがアイドル状態である場合、チャネル状態がビジーに変わるまで、又はバックオフカウンタ値が０に減らされるまで、バックオフカウンタ値をαだけ減らす段階を含み、αは０より大きい又は０に等しい実数である。
【００３１】
第４の態様の第５の可能な実装方式に関連して、第４の態様の第６の可能な実装方式では、送受信機ユニットがチャネルアクセスを実行することはさらに、送受信機ユニットがアップリンクフレームの送信に失敗した場合、送受信機ユニットが第２のトリガフレームを受信することであって、第２のトリガフレームはアクセスポイントによって送信され、第２のトリガフレームは、コンテンションウィンドウ調整用のパラメータ又は目標コンテンションウィンドウＣＷｏ値を含む、受信することと、処理ユニットが、第２のトリガフレームを解析した後に、ＣＷｏを調整することであって、ＣＷｏは直交周波数分割多元接続ＯＦＤＭＡサブチャネル競合のコンテンションウィンドウである、調整することとを含む。
【００３２】
第４の態様の第６の可能な実装方式に関連して、第４の態様の第７の可能な実装方式では、処理ユニットが、第２のトリガフレームを解析した後に、コンテンションウィンドウＣＷｏを調整することは具体的には、コンテンションウィンドウ調整用のパラメータを事前設定された閾値と比較することと、当該パラメータが当該閾値より大きい場合はＣＷｏを増やし、又は、当該パラメータが当該閾値より小さい若しくはそれと等しい場合はＣＷｏを変えずに維持することとを含む。
【００３３】
第４の態様の第６の可能な実装方式に関連して、第４の態様の第８の可能な実装方式では、処理ユニットが、第２のトリガフレームを解析した後に、コンテンションウィンドウＣＷｏを調整することは具体的には、コンテンションウィンドウ調整用のパラメータを事前設定された２つの閾値と比較することと、当該パラメータが第１の閾値より大きい場合はＣＷｏを増やし、当該パラメータが第２の閾値より大きく且つ第１の閾値より小さい若しくはそれと等しい場合はＣＷｏを変えずに維持し、又は、当該パラメータが第２の閾値より小さい若しくはそれと等しい場合はＣＷｏを減らすこととを含む。
【００３４】
第４の態様の第６の可能な実装方式に関連して、第４の態様の第９の可能な実装方式では、処理ユニットが、第２のトリガフレームを解析した後に、コンテンションウィンドウＣＷｏを調整することは具体的には、局が調整前のＣＷｏ値を目標ＣＷｏ値と比較することと、ＣＷｏが目標ＣＷｏ値より大きい場合はＣＷｏを減らし、ＣＷｏが目標ＣＷｏ値と等しい場合はＣＷｏを変えずに維持し、又は、ＣＷｏが目標ＣＷｏ値より小さい場合はＣＷｏを増やすこととを含む。
【００３５】
本出願の実施形態によると、無線ローカルエリアネットワークのチャネルアクセス処理において、１つのバックオフカウンタが、ＯＦＤＭＡサブチャネルアクセス及びＣＳＭＡ／ＣＡチャネルアクセスに用いられ、システムの複雑さが低減される。さらに、ＯＦＤＭＡサブチャネルアクセス処理において、ランダムチャネルアクセスが用いられ、システムのアクセス効率が改善される。
【図面の簡単な説明】
【００３６】
【図１】本出願の一実施形態による応用シナリオの図である。
【００３７】
【図２】本出願の実施形態１による処理のブロック図である。
【００３８】
【図３】本出願の実施形態１によるチャネルアクセスの概略図である。
【００３９】
【図４】本出願の実施形態２による処理のブロック図である。
【００４０】
【図５】本出願の実施形態２によるチャネルアクセスの概略図である。
【００４１】
【図６】本出願の実施形態１による論理構造の図である。
【００４２】
【図７】本出願の実施形態２による論理構造の図である。
【００４３】
【図８】本出願の一実施形態による物理構造の図である。
【発明を実施するための形態】
【００４４】
本出願の目的、技術的解決法、及び利点をより明確にするために、以下においてさらに、添付図面を参照しながら本出願の実施形態を詳細に説明する。本出願を包括的に理解するために、以下の説明では多くの具体的な詳細について言及する。しかし、これらの具体的な詳細を必要とすることなく、本出願が実装されてよいことを当業者は理解されたい。説明される実施形態は、本出願の実施形態の全てではなく、一部であることは明らかである。本出願の実施形態に基づいて、創造的努力をすることなく当業者により取得される他の全ての実施形態は、本出願の保護範囲に含まれることになる。
【００４５】
本出願の実施形態は、無線ローカルエリアネットワーク（英語名称：Ｗｉｒｅｌｅｓｓ  Ｌｏｃａｌ  Ａｒｅａ  Ｎｅｔｗｏｒｋ、ＷＬＡＮ）に適用されてよい。現在、ＷＬＡＮに用いられている規格は、米国電気電子技術者協会（英語名称：Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ、ＩＥＥＥ）８０２．１１シリーズである。ＷＬＡＮは、複数の基本サービスセット（英語名称：Ｂａｓｉｃ  Ｓｅｒｖｉｃｅ  Ｓｅｔ、ＢＳＳ）を含んでよい。基本サービスセットのネットワークノードは、局（英語名称：Ｓｔａｔｉｏｎ、ＳＴＡ）である。局は、アクセスポイント局（英語名称：Ａｃｃｅｓｓ  Ｐｏｉｎｔ、ＡＰ）、及び非アクセスポイント局（英語名称：Ｎｏｎ  Ａｃｃｅｓｓ  Ｐｏｉｎｔ  Ｓｔａｔｉｏｎ、Ｎｏｎ−ＡＰ  ＳＴＡ）を含む。それぞれの基本サービスセットは、１つのＡＰと、このＡＰと関連した複数のＮｏｎ−ＡＰ  ＳＴＡとを含んでよい。
【００４６】
アクセスポイント局はまた、無線アクセスポイント、ホットスポットなどと呼ばれている。ＡＰは、有線ネットワークにアクセスするモバイルユーザにより用いられるアクセスポイントであり、主として、自宅、建物内、及び大学構内に配置され、典型的なカバレッジ半径は、数十メートルから１００メートルである。もちろん、その代わりにＡＰは屋外に配置されてよい。ＡＰは、有線ネットワークと無線ネットワークを接続するブリッジに相当し、ＡＰの主な役割は、様々な無線ネットワーククライアントを共に接続し、次に無線ネットワークをＥｔｈｅｒｎｅｔ（登録商標）に接続することである。具体的には、ＡＰは、ワイヤレスフィディリティ（英語名称：Ｗｉｒｅｌｅｓｓ  Ｆｉｄｅｌｉｔｙ、ＷｉＦｉ）チップを有する端末デバイス又はネットワークデバイスであってよい。任意選択でＡＰは、８０２．１１ａｘ規格をサポートするデバイスであってよい。さらに、任意選択でＡＰは、８０２．１１ａｃ、８０２．１１ｎ、８０２．１１ｇ、８０２．１１ｂ、及び８０２．１１ａなど、複数のＷＬＡＮ規格をサポートするデバイスであってよい。
【００４７】
非アクセスポイント局（英語名称：Ｎｏｎｅ  Ａｃｃｅｓｓ  Ｐｏｉｎｔ  Ｓｔａｔｉｏｎ、Ｎｏｎ−ＡＰ  ＳＴＡ）は、無線通信チップ、無線センサ、又は無線通信端末であってよく、無線通信端末には、ＷｉＦｉ通信機能をサポートする携帯電話、ＷｉＦｉ通信機能をサポートするタブレットコンピュータ、ＷｉＦｉ通信機能をサポートするセットトップボックス、ＷｉＦｉ通信機能をサポートするスマートテレビ、ＷｉＦｉ通信機能をサポートするインテリジェントウェアラブルデバイス、ＷｉＦｉ通信機能をサポートする車載通信デバイス、及びＷｉＦｉ通信機能をサポートするコンピュータなどがある。任意選択で局は、８０２．１１ａｘ規格をサポートしてよい。さらに、任意選択で局は、８０２．１１ａｃ、８０２．１１ｎ、８０２．１１ｇ、８０２．１１ｂ、及び８０２．１１ａなど、複数のＷＬＡＮ規格をサポートする。
【００４８】
図１は、典型的なＷＬＡＮの配置シナリオのシステム概略図であり、１つのＡＰと３つのＳＴＡとを含む。ＡＰは、ＳＴＡ１、ＳＴＡ２、及びＳＴＡ３と個々に通信する。
【００４９】
従来技術１では、２つのバックオフカウンタが用いられており、一方のバックオフカウンタがＣＳＭＡ／ＣＡチャネルアクセスに用いられ、他方のバックオフカウンタがＯＦＤＭＡチャネルアクセスに用いられている。ＯＦＤＭＡチャネルアクセス処理とは、以下の通りである。
【００５０】
局が、バックオフカウンタ値として、０以上ＣＷｏ以下の範囲から整数を一様に且つランダムに選択する。ここで、ＣＷｏはＯＦＤＭＡサブチャネル競合のコンテンションウィンドウである。
【００５１】
局が、トリガフレームに示された利用可能なサブチャネルごとにトリガフレームを受信した場合、バックオフカウンタがそのたびに１だけ減らすという処理を実行する。ランダムアクセス用のサブチャネルの数はＮであり、これはトリガフレームによって示され、Ｎは０より大きい整数である。
【００５２】
バックオフカウンタ値が０に減らされた後に、局は、バックオフカウンタ値が０に減らされたサブチャネルでアップリンクフレームを送信する。
［実施形態１］
【００５３】
本出願の実施形態１が、ＷＬＡＮに適用されるチャネルアクセス方法を提供する。本方法は、図１のＡＰ及びＳＴＡ１からＳＴＡ３などの局に適用されてよい。局は、８０２．１１ａｘ規格などの次世代のＷＬＡＮ規格をサポートしてよい。図２は、チャネルアクセス方法のフローチャートである。具体的な段階は以下の通りである。
【００５４】
Ａ．局がバックオフカウンタ値を生成する。バックオフカウンタ値は、０以上ＣＷｏ以下の範囲からランダムに選択され、ＣＷｏは、直交周波数分割多元接続ＯＦＤＭＡサブチャネル競合のコンテンションウィンドウであり、ＣＷｏは０より大きい整数である。
【００５５】
Ｂ．局が第１のトリガフレームを受信する。第１のトリガフレームはアクセスポイントによって送信され、第１のトリガフレームは、ランダムアクセス用のサブチャネルの数がＮであることを示し、Ｎは０より大きい又は０に等しい整数である。
【００５６】
Ｃ．局がバックオフを実行する。バックオフの処理は、バックオフカウンタ値からランダムアクセス用のサブチャネルの数Ｎを差し引いて、新たなバックオフカウンタ値を取得する段階と、新たなバックオフカウンタ値が０又は負の数である場合は段階Ｄを実行し、又は新たなバックオフカウンタ値が０より大きい場合は段階Ｂを実行する段階とを含む。
【００５７】
Ｄ．局が、ランダムアクセス用のサブチャネルから１つのサブチャネルをランダムに選択し、次に当該サブチャネルにアクセスしてアップリンクフレームを送信する。
【００５８】
バックオフカウンタ値はさらに、ＡＰによってブロードキャストされる、バックオフカウンタ値である生成パラメータに従って生成されてよいことに留意されたい。
【００５９】
具体的には、第１のトリガフレームは２つの種類がある。種類１は、データ送信のために、全てのサブチャネルを特定のユーザに割り当てるための、純然たるスケジューリング型である。種類２は、ＯＦＤＭＡ競合によって、ランダムサブチャネルアクセス用の一部又は全てのサブチャネルを用いるためのものである。本特許において言及される第１のトリガフレームは特に、ランダムアクセス用のサブチャネルの数を含むトリガフレームを意味する。純然たるスケジューリング型のトリガフレームは、ランダムアクセス用のサブチャネルの数が０であるトリガフレームとみなされてよく、等価効果が得られてよい。
【００６０】
段階Ｃで局によって実行されるバックオフ処理が、図３を参照しながら説明される。図３の左側では、バックオフカウンタのＢＯ値が４であり、第１のトリガフレームに示されたランダムアクセス用のサブチャネルの数が９である場合、バックオフカウンタの新たなＢＯ´の値が−５となり、局は、サブチャネル１〜９の中から１つのサブチャネルを選択し、次に当該サブチャネルにアクセスしてアップリンクフレームを送信する。図３の右側では、バックオフカウンタのＢＯ値は１６であり、第１のトリガフレームに示されたランダムアクセス用のサブチャネルの数が９である場合、バックオフカウンタの新たなＢＯ´の値が７となり、ＢＯ´は０ではなく負の数でもない。局が再び第１のトリガフレームを受信し、ＢＯ´´＝−２となった場合、局は、サブチャネル１０〜１８の中から１つのサブチャネルをランダムに選択し、次に当該サブチャネルにアクセスしてアップリンクフレームを送信する。
【００６１】
任意選択で、局がチャネルアクセスを実行することはさらに、局がアップリンクフレームの送信に失敗した場合、局が第２のトリガフレームを受信することであって、第２のトリガフレームはアクセスポイントによって送信され、第２のトリガフレームはコンテンションウィンドウ調整用のパラメータ又は目標ＣＷｏ値を含む、受信することと、局が、第２のトリガフレームを解析した後に、ＣＷｏを調整することとを含む。
【００６２】
アップリンクフレームを送信する局の障害には例えば、局間のチャネル競合により引き起こされる衝突、及び劣悪なチャネル状態による送信障害といった複数の理由があることに留意されたい。
【００６３】
具体的には、局が、第２のトリガフレームを解析した後に、ＣＷｏを調整することは、少なくとも３つの方法を含む。
【００６４】
方法１．コンテンションウィンドウ調整用のパラメータを事前設定された閾値と比較し、当該パラメータが当該閾値より大きい場合はＣＷｏが増やされ、又は、当該パラメータが当該閾値より小さい若しくはそれと等しい場合はＣＷｏが変えずに維持される。
【００６５】
パラメータ及び閾値は、逆の形に定義され変えられ得るので、方法１はさらに、次のように等価的に説明されてよい。すなわち、コンテンションウィンドウ調整用のパラメータを事前設定された閾値と比較し、当該パラメータが当該閾値より小さい場合はＣＷｏが増やされ、又は、当該パラメータが当該閾値より大きい若しくはそれと等しい場合はＣＷｏが変えずに維持される。
【００６６】
方法２．コンテンションウィンドウ調整用のパラメータを事前設定された２つの閾値と比較し、当該パラメータが第１の閾値より大きい場合はＣＷｏが増やされ、当該パラメータが第２の閾値より大きい且つ第１の閾値より小さい若しくはそれと等しい場合はＣＷｏが変えずに維持され、又は、当該パラメータが第２の閾値より小さい若しくはそれと等しい場合はＣＷｏが減らされる。
【００６７】
パラメータ及び閾値は、逆の形に定義され変えられ得るので、方法２はさらに、次のように等価的に説明されてよい。すなわち、コンテンションウィンドウ調整用のパラメータを事前設定された２つの閾値と比較し、当該パラメータが第１の閾値より小さい場合はＣＷｏが増やされ、当該パラメータが第２の閾値より小さく且つ第１の閾値より大きい若しくはそれと等しい場合はＣＷｏが変えずに維持され、又は、当該パラメータが第２の閾値より大きい若しくはそれと等しい場合はＣＷｏが減らされる。
【００６８】
方法１及び方法２の閾値は、規格によって規定されているか、又はブロードキャスト方式でＡＰによって通知されることに留意されたい。
【００６９】
例えば、コンテンションウィンドウ調整用のパラメータ＝衝突が発生するサブチャネルの数／（ランダム競合のサブチャネルの数＋競合が成功したサブチャネルの数）である。あるいは、アクセスポイントが、前のラウンドで衝突が発生したサブチャネルの数、競合が成功したサブチャネルの数、及びランダム競合のサブチャネルの全て又は一部の数をトリガフレームに示す。局は、アクセスポイントによって示されたパラメータに従って、コンテンションウィンドウ調整用のパラメータを生成し、コンテンションウィンドウ調整用のパラメータはＣＷｏの調整に用いられる。
【００７０】
方法３．局は、調整前のＣＷｏ値を目標ＣＷｏ値と比較する。
【００７１】
ＣＷｏが目標ＣＷｏ値より大きい場合は、ＣＷｏが減らされる。
【００７２】
ＣＷｏが目標ＣＷｏ値と等しい場合は、ＣＷｏが変えずに維持される。
【００７３】
ＣＷｏが目標ＣＷｏ値より小さい場合は、ＣＷｏが増やされる。
【００７４】
本実施形態は、ＯＦＤＭＡチャネルアクセスに個々に用いられてよく、又は既存のＣＳＭＡ／ＣＡチャネルアクセスと組み合わされてよいことに留意されたい。具体的には、本実施形態では、バックオフが、１つのバックオフカウンタを用いることで、ＯＦＤＭＡチャネルアクセス処理及びＣＳＭＡ／ＣＡチャネルアクセス処理に対して実行されてよい。あるいは、本実施形態は、既存のＣＳＭＡ／ＣＡチャネルアクセスと組み合わされてよく、２つのバックオフカウンタが、ＯＦＤＭＡチャネルアクセス及びＣＳＭＡ／ＣＡチャネルアクセスにそれぞれ用いられる。
【００７５】
従来技術１と比較すると、本出願では、バックオフカウンタ値が０又は負の数である場合、局は、ランダムアクセス用のサブチャネルから１つのサブチャネルをランダムに選択し、次に当該サブチャネルにアクセスしてアップリンクフレームを送信する。しかし、従来技術１では、バックオフカウンタ値が０に減らされた後に、局が、バックオフカウンタ値が０に減らされたサブチャネルでアップリンクフレームを送信する。
【００７６】
本出願では、アクセスされ得る局の数に関係なく、それぞれのアクセス局が、利用可能な全てのサブチャネルからランダムな選択を実行する。これで、ランダムアクセスのサブチャネルのリソースを十分に利用することができる。しかし、従来技術１では、ランダムアクセス用のサブチャネルごとに、バックオフカウンタ値から１が引かれた場合、バックオフカウンタ値が０に減らされたサブチャネルで送信が実行される解決法によると、ランダムアクセス用の一部のサブチャネルは、どの局からも選択されない場合があり、これによってリソースの無駄が生じる。
【００７７】
本出願の本実施形態によると、無線ローカルエリアネットワークのチャネルアクセス処理では、局がバックオフカウンタ値を生成し、次に局が、第１のトリガフレームを受信した後に、バックオフの処理を実行する。バックオフの処理は、ランダムアクセス用のサブチャネルの数Ｎをバックオフカウンタ値から差し引いて、新たなバックオフカウンタ値を取得することと、新たなバックオフカウンタ値が０又は負の数である場合、局が、ランダムアクセス用のサブチャネルから１つのサブチャネルをランダムに選択し、次に当該サブチャネルにアクセスしてアップリンクフレームを送信することとを含む。上述の方法を用いることで、システムのアクセス効率が改善され、システムリソースの無駄が避けられる。
［実施形態２］
【００７８】
本出願の実施形態２が、ＷＬＡＮに適用されるデータ送信方法を提供する。本方法は、図１のＡＰ及びＳＴＡ１からＳＴＡ３などの局に適用されてよい。局は、８０２．１１ａｘ規格などの次世代のＷＬＡＮ規格をサポートしてよい。図４は、データ送信方法の相互作用図である。具体的な段階は以下の通りである。
【００７９】
Ａ．局がバックオフカウンタ値を生成する。
【００８０】
Ｂ．局がバックオフを実行し、バックオフカウンタ値を更新する。具体的には以下の段階を含む。
Ｂ１．局が、フレーム間隔ＸＩＦＳの間にチャネルがアイドル状態であることを検出した後に、搬送波感知多元接続／衝突回避ＣＳＭＡ／ＣＡ方式を用いることでバックオフを実行する段階。
Ｂ２．局が、第１のトリガフレームを受信した後に、ＯＦＤＭＡ競合方式に従ってバックオフを実行する段階。第１のトリガフレームはランダムアクセス用のサブチャネルの数Ｎを示し、Ｎは０より大きい又は０に等しい整数であり、段階Ｂ１及び段階Ｂ２では、同じバックオフカウンタを用いることでバックオフが実行され、更新されたバックオフカウンタ値が０又は負の数である場合は段階Ｃが実行され、更新されたバックオフカウンタ値が０より大きい場合は段階Ｂが実行される。
【００８１】
Ｃ．局がチャネルアクセスを実行する段階。具体的には、段階Ｂ１を実行することでバックオフカウンタ値が０に減らされた場合、局がチャネル全体を用いることでアップリンクフレームを送信する、又は段階Ｂ２を実行することでバックオフカウンタ値が０又は負の数に減らされた場合、局が、ランダムアクセス用のサブチャネルにアクセスした後に、アップリンクフレームを送信することを含む。
【００８２】
段階Ｂ１では、従来のＣＳＭＡ／ＣＡチャネルアクセス方式が実行され、従来のＣＳＭＡ／ＣＡには、時間ドメインバックオフ用のバックオフカウンタがあることに留意されたい。段階Ｂ２では、ＯＦＤＭＡチャネルアクセス方式が実行され、ＯＦＤＭＡチャネル競合もバックオフカウンタを必要とする。本実施形態では、ＯＦＤＭＡ競合及びＣＳＭＡ／ＣＡ競合は、同じバックオフカウンタを用いる。
【００８３】
段階Ｂ２のＯＦＤＭＡ競合方式は、少なくとも３つの方法を含む。
【００８４】
方法１．局が、第１のトリガフレームを受信した後に、ＯＦＤＭＡ競合方式に従ってバックオフを実行する段階は、局が、第１のトリガフレームを受信した後に、バックオフカウンタ値をβＮだけ減らす段階を含み、ここでβは０より大きい又は０に等しい実数である。
【００８５】
例えば、段階Ｂ１（ＣＳＭＡ／ＣＡチャネルアクセス方式）が実行された後に、バックオフカウンタ値はＢＯ＝５となる。当該ＢＯ値は０より大きいので、段階Ｂが実行される。この場合、局はトリガフレームを受信し、当該トリガフレームは、サブチャネルの数が３であることを示し、段階Ｂ２（ＯＦＤＭＡチャネルアクセス方式）が実行される。ＢＯ＝２となり、当該ＢＯ値は０より大きいので、段階Ｂが実行される。この場合、局が、ＤＩＦＳ時間の間にチャネルがアイドル状態であることを検出した後に、段階Ｂ１が実行される。局が、２つのタイムスロットの間にチャネルがアイドル状態であることを検出した場合、ＢＯ＝０となり、この場合、段階Ｃが実行される。段階Ｂ１を実行することで、局によってバックオフカウンタ値が０に減らされたので、局は、チャネル全体を用いることでアップリンクフレームを送信する。要するに、段階Ｂ１及び段階Ｂ２でバックオフを実行する場合、局は同じバックオフカウンタを用いる。段階Ｂ２では、局がトリガフレームを受信した後、それは、チャネルがビジー状態であることを意味する。段階Ｂ１では、局は、ＸＩＦＳの間にチャネルがアイドル状態であることを検出する。したがって、段階Ｂ１及び段階Ｂ２を同時に実行することはできず、一方の段階だけが選択されて実行され得る。さらに、バックオフカウンタ値が０ではないならば、局は段階Ｂを繰り返し実行する。
【００８６】
具体的には、段階Ｂ１では、ＸＩＦＳの間にチャネルがアイドル状態になった後に、チャネルが１つのタイムスロット（ｔｉｍｅｓｌｏｔ、概して９μｓ）の間にアイドル状態である場合、バックオフカウンタ値は１だけ減らされる。チャネルが、特定のタイムスロットの間にビジー状態に変わった場合、バックオフカウンタはバックオフの実行を中止する。ＸＩＦＳは、異なるバックオフ方式に従って、分散制御用フレーム間隔（英語名称：ｄｉｓｔｒｉｂｕｔｅｄ  ｃｏｏｒｄｉｎａｔｉｏｎ  ｆｕｎｃｔｉｏｎ  ｉｎｔｅｒｆｒａｍｅ  ｓｐａｃｅ、ＤＩＦＳ）、集中制御用フレーム間隔（英語名称：ｐｏｉｎｔ  ｃｏｏｒｄｉｎａｔｉｏｎ  ｆｕｎｃｔｉｏｎ  ｉｎｔｅｒｆｒａｍｅ  ｓｐａｃｅ、ＰＩＦＳ）、又は調停用フレーム間隔（英語名称：ａｒｂｉｔｒａｔｉｏｎ  ｉｎｔｅｒｆｒａｍｅ  ｓｐａｃｅ、ＡＩＦＳ）であってよい。
【００８７】
段階Ｂで局によって実行されるバックオフ処理が、図５を参照しながら説明される。局のバックオフカウンタの初期値が５である場合、局が、ＤＩＦＳ（ＤＣＦ競合方式が用いられていると仮定）の間にチャネルがアイドル状態であることを検出した後に、段階Ｂ１が実行され、２つの連続したタイムスロットの間にチャネルがアイドル状態である場合、バックオフカウンタ値が２だけ減らされる、すなわちＢＯ値が５から３に減らされる。次に、アクセスポイントがトリガフレームを送信するので、チャネルがビジー状態に変わり、チャネルがビジー状態に変わったことを感知した後に、局はバックオフカウンタを停止する。ＳＴＡが受信したフレームがトリガフレーム（これは通常、ＳＴＡと関連したアクセスポイントによって送信される必要がある）であることをＳＴＡが検出した後に、トリガフレームがランダムアクセス用のＮ個のサブチャネルを示している場合、バックオフカウンタ値ＢＯはＮだけ減らされ、Ｎが３より大きい又は３と等しい場合、バックオフカウンタ値ＢＯは０又は負の数に減らされる。段階Ｂ２を実行することで、バックオフカウンタ値が局によって０に減らされるので、局は、トリガフレームによって示されるランダムアクセス用のサブチャネル１〜５の中から１つのサブチャネルをランダムに選択し、トリガフレームがＳＩＦＳ時間を終了した後に、アップリンクフレームを送信する。
【００８８】
βは、０．５、１、又は２などの値であってよいことに留意されたい。当業者は、望ましい方式はβが１であり、この場合、それは、βが考慮されないことに相当することを理解している。βＮが整数ではない場合、丸め処理を実行する必要がある。丸め処理は、四捨五入、切り捨て、又は切り上げであってよく、用いられる具体的な丸め処理は概して、公平性を確保するために、規格によって指定される必要がある。
【００８９】
方法２．局が、第１のトリガフレームを受信した後に、ＯＦＤＭＡ競合方式に従ってバックオフを実行する段階は、局が、第１のトリガフレームを受信した後に、バックオフカウンタ値を１だけ減らす段階を含む。
【００９０】
方法３．局が、第１のトリガフレームを受信した後に、ＯＦＤＭＡ競合方式に従ってバックオフを実行する段階は、局が、第１のトリガフレームを受信した後に、局が第１のトリガフレームから利用可能なサブチャネルを読み出すたびに、バックオフカウンタ値を１だけ減らす段階を含む。
【００９１】
方法３では、トリガフレームは、ランダムアクセス用の３つのサブチャネル１〜３が含まれていることを示すように設定されており、この場合、バックオフカウンタ値は２であることに留意されたい。局がサブチャネル１を読み出した後、ＢＯ＝１になり、局がサブチャネル２を読み出した後、ＢＯ＝０になり、局は、ランダムアクセス用のサブチャネルとしてサブチャネル２を選択し、サブチャネル２でアップリンクフレームを送信する。
【００９２】
ＯＦＤＭＡサブチャネル競合及びＣＳＭＡ／ＣＡ競合が、同じバックオフカウンタを共有し、２つの競合方式が異なるバックオフ速度を必要とする場合を考慮すると、異なる重み付け係数が異なるバックオフ段階に用いられる必要があることに留意されたい。
【００９３】
任意選択で、局が、サブチャネルにアクセスした後に、アップリンクフレームを送信する段階は、局が、ランダムアクセス用のサブチャネルから１つのサブチャネルをランダムに選択してアップリンクフレームを送信する段階、又は、局が、バックオフカウンタ値がちょうど０に減らされたサブチャネルを選択してアップリンクフレームを送信する段階を含む。
【００９４】
任意選択で、局が、フレーム間隔ＸＩＦＳの間にチャネルがアイドル状態であることを検出した後に、搬送波感知多元接続／衝突回避ＣＳＭＡ／ＣＡ方式を用いることでバックオフを実行する段階は、局が、フレーム間隔ＸＩＦＳの間にチャネルがアイドル状態であることを検出した後に、１つのタイムスロットの間にチャネルがアイドル状態である場合、チャネル状態がビジーに変わるまで、又はバックオフカウンタ値が０に減らされるまで、バックオフカウンタ値をαだけ減らす段階を含み、αは０より大きい又は０に等しい実数である。
【００９５】
αは、０．５、１、又は２などの値であってよい。当業者は、望ましい方式はαが１であり、この場合、それは、αが考慮されないことに相当することを理解している。αが整数ではない場合、丸め処理を実行する必要がある。丸め処理は、四捨五入、切り捨て、又は切り上げであってよく、用いられる具体的な丸め処理は概して、公平性を確保するために、規格によって指定される必要がある。
【００９６】
任意選択で、局がチャネルアクセスを実行する段階はさらに、局がアップリンクフレームの送信に失敗した場合、局が第２のトリガフレームを受信する段階であって、第２のトリガフレームはアクセスポイントによって送信され、第２のトリガフレームはコンテンションウィンドウ調整用のパラメータ又は目標ＣＷｏ値を含む、受信する段階と、局が、第２のトリガフレームを解析した後に、ＣＷｏを調整する段階とを含む。
【００９７】
アップリンクフレームを送信する局の障害には例えば、局間のチャネル競合により引き起こされる衝突、及び劣悪なチャネル状態による送信障害といった複数の理由があることに留意されたい。
【００９８】
具体的には、局が、第２のトリガフレームを解析した後に、ＣＷｏを調整する段階は、少なくとも３つより多くの方法を含む。
【００９９】
方法１．コンテンションウィンドウ調整用のパラメータを事前設定された閾値と比較し、当該パラメータが当該閾値より大きい場合はＣＷｏが増やされ、又は、当該パラメータが当該閾値より小さい若しくはそれと等しい場合はＣＷｏが変えずに維持される。
【０１００】
パラメータ及び閾値は、逆の形に定義され変えられ得るので、方法１はさらに、次のように等価的に説明されてよい。すなわち、コンテンションウィンドウ調整用のパラメータを事前設定された閾値と比較し、当該パラメータが当該閾値より小さい場合はＣＷｏが増やされ、又は、当該パラメータが当該閾値より大きい若しくはそれと等しい場合はＣＷｏが変えずに維持される。
【０１０１】
方法２．コンテンションウィンドウ調整用のパラメータを事前設定された２つの閾値と比較し、当該パラメータが第１の閾値より大きい場合はＣＷｏが増やされ、当該パラメータが第２の閾値より大きい且つ第１の閾値より小さい若しくはそれと等しい場合はＣＷｏが変えずに維持され、又は、当該パラメータが第２の閾値より小さい若しくはそれと等しい場合はＣＷｏが減らされる。
【０１０２】
パラメータ及び閾値は、逆の形に定義され変えられ得るので、方法２はさらに、次のように等価的に説明されてよい。すなわち、コンテンションウィンドウ調整用のパラメータを事前設定された２つの閾値と比較し、当該パラメータが第１の閾値より小さい場合はＣＷｏが増やされ、当該パラメータが第２の閾値より小さく且つ第１の閾値より大きい若しくはそれと等しい場合はＣＷｏが変えずに維持され、又は、当該パラメータが第２の閾値より大きい若しくはそれと等しい場合はＣＷｏが減らされる。
【０１０３】
方法１及び方法２の閾値は、規格によって規定されているか、又はブロードキャスト方式でＡＰによって通知されることに留意されたい。
【０１０４】
例えば、コンテンションウィンドウ調整用のパラメータ＝衝突が発生するサブチャネルの数／（ランダム競合のサブチャネルの数＋競合が成功したサブチャネルの数）である。あるいは、アクセスポイントが、前のラウンドで衝突が発生したサブチャネルの数、競合が成功したサブチャネルの数、及びランダム競合のサブチャネルの全て又は一部の数をトリガフレームに示す。局は、アクセスポイントによって示されたパラメータに従って、コンテンションウィンドウ調整用のパラメータを生成し、コンテンションウィンドウ調整用のパラメータはＣＷｏの調整に用いられる。
【０１０５】
方法３．局は、調整前のＣＷｏ値を目標ＣＷｏ値と比較する。
【０１０６】
ＣＷｏが目標ＣＷｏ値より大きい場合は、ＣＷｏが減らされる。
【０１０７】
ＣＷｏが目標ＣＷｏ値と等しい場合は、ＣＷｏが変えずに維持される。
【０１０８】
ＣＷｏが目標ＣＷｏ値より小さい場合は、ＣＷｏが増やされる。
【０１０９】
任意選択で、別の実施形態において、ビーコンフレーム（Ｂｅａｃｏｎ）又はトリガフレームが、トリガフレームの次の送信時間を前もって示す場合、バックオフカウンタがどのように機能するかについての説明は以下の通りである。
【０１１０】
ビーコンフレーム又はトリガフレームが、トリガフレームの次の目標送信時間を示す場合、トリガフレームの次の目標送信時間が来る前は、バックオフカウンタのバックオフ方法は変えずに維持され、既存の規格のＣＳＭＡ／ＣＡ時間ドメインバックオフに従って、又は本特許の別の実施形態の方式に従ってバックオフが実行される。トリガフレームの次の目標送信時間が来た後、トリガフレームが受信される前に、局は、チャネルがビジー状態かアイドル状態かに関係なく、バックオフカウンタのバックオフの実行を中止する。
【０１１１】
任意選択で、別の実施形態において、アクセスポイントによって送信されたトリガフレームを局が受信した場合、バックオフカウンタ値からトリガフレームに示されたランダムアクセス用のサブチャネルの数を引いた結果が、０より大きくなる。ＣＷｏの生成を制御するためのパラメータ、又はトリガフレームのバックオフカウンタが、（局によって前に生成されたバックオフカウンタ値と比較して）変化した場合、バックオフカウンタをどのように設定するかについての説明は以下の通りである。
【０１１２】
第１の方法。
【０１１３】
局は、現在のバックオフカウンタ値を変えずに維持し、ＡＰと関連付けられたパラメータを生成するバックオフカウンタの変化を無視する。簡単ではあるが、アクセスポイント制御パラメータの変化が考慮されないので、本方法は十分効率がよいとは言えない。
【０１１４】
第２の方法。
【０１１５】
局が、アクセスポイントと関連付けられたパラメータを生成するバックオフカウンタに従って、新たなバックオフカウンタ値を生成し、現在のバックオフカウンタ値を新たなバックオフカウンタ値に設定する。本方法は、アクセスポイント制御パラメータの変化が考慮されているということを特徴としており、アクセス効率の改善に役立つが、過去のバックオフ処理が考慮されていない。したがって、公平性の課題が局間に存在する（例えば、特定の局のバックオフ期間後に、現在のバックオフカウンタ値は非常に小さいが、アクセスポイント調整パラメータに従って再生成されたバックオフカウンタ値が非常に大きい）。しかし、長期統計の観点からは、この課題はまだ、局間で公平である。
【０１１６】
従来技術１と比較すると、本出願の本実施形態では、無線ローカルエリアネットワークのチャネルアクセス処理において、１つのバックオフカウンタが、ＯＦＤＭＡサブチャネルアクセス及びＣＳＭＡ／ＣＡチャネルアクセスに用いられ、システムの複雑さが低減される。さらに、ＯＦＤＭＡサブチャネルアクセス処理において、ランダムチャネルアクセスが用いられ、システムのアクセス効率が改善される。
［実施形態３］
【０１１７】
図６は、本出願の実施形態３による、無線ローカルエリアネットワークのチャネルアクセス装置に関する概略ブロック図である。例えば、チャネルアクセス装置は局であるか、又は関連機能を実装する専用回路若しくはチップである。図６に示されるチャネルアクセス装置１００は、生成ユニット１０１、バックオフユニット１０２、処理ユニット１０３、及び送受信機ユニット１０４を含む。例えば、チャネルアクセス装置１００は、図１に示されるＡＰ又はＳＴＡ１からＳＴＡ３であってよい。
【０１１８】
生成ユニット１０１は、バックオフカウンタ値を生成するように構成されており、バックオフカウンタ値は、０以上ＣＷｏ以下の範囲からランダムに選択され、ＣＷｏは、直交周波数分割多元接続ＯＦＤＭＡサブチャネル競合のコンテンションウィンドウであり、ＣＷｏは０より大きい整数である。
【０１１９】
バックオフユニット１０２は、バックオフを実行するように構成されており、バックオフの処理は、ランダムアクセス用のサブチャネルの数Ｎをバックオフカウンタ値から差し引いて、新たなバックオフカウンタ値を取得することを含む。
【０１２０】
処理ユニット１０３は、バックオフカウンタ値が０より大きいかどうかを判定する判定処理を実行するように構成されている。
【０１２１】
送受信機ユニット１０４は、第１のトリガフレームを受信するように構成されており、第１のトリガフレームはアクセスポイントによって送信され、第１のトリガフレームは、ランダムアクセス用のサブチャネルの数がＮであることを示し、Ｎは０より大きい又は０に等しい整数である。
【０１２２】
送受信機ユニット１０４はさらに、ランダムアクセス用のサブチャネルのうち１つのサブチャネルで、アップリンクフレームを送信することを含むチャネルアクセスを実行するように構成されている。
【０１２３】
任意選択で、送受信機ユニットがチャネルアクセスを実行することはさらに、送受信機ユニットがアップリンクフレームの送信に失敗した場合、送受信機ユニットが第２のトリガフレームを受信することであって、第２のトリガフレームはアクセスポイントによって送信され、第２のトリガフレームはコンテンションウィンドウ調整用のパラメータ又は目標ＣＷｏ値を含む、受信することと、処理ユニットが、第２のトリガフレームを解析した後に、ＣＷｏを調整することとを含む。
【０１２４】
任意選択で、処理ユニットが、第２のトリガフレームを解析した後に、ＣＷｏを調整することは、少なくとも３つの方法を含む。
【０１２５】
方法１．コンテンションウィンドウ調整用のパラメータを事前設定された閾値と比較し、当該パラメータが当該閾値より大きい場合はＣＷｏが増やされ、又は、当該パラメータが当該閾値より小さい若しくはそれと等しい場合はＣＷｏが変えずに維持される。
【０１２６】
方法２．コンテンションウィンドウ調整用のパラメータを事前設定された２つの閾値と比較し、当該パラメータが第１の閾値より大きい場合はＣＷｏが増やされ、当該パラメータが第２の閾値より大きい且つ第１の閾値より小さい若しくはそれと等しい場合はＣＷｏが変えずに維持され、又は、当該パラメータが第２の閾値より小さい若しくはそれと等しい場合はＣＷｏが減らされる。
【０１２７】
方法３．局が調整前のＣＷｏ値を目標ＣＷｏ値と比較し、ＣＷｏが目標ＣＷｏ値より大きい場合はＣＷｏが減らされ、ＣＷｏが目標ＣＷｏ値と等しい場合はＣＷｏが変えずに維持され、又は、ＣＷｏが目標ＣＷｏ値より小さい場合はＣＷｏが増やされる。
【０１２８】
本出願の本実施形態によると、無線ローカルエリアネットワークのチャネルアクセス処理では、生成ユニットがバックオフカウンタ値を生成し、次に送受信機ユニットが、第１のトリガフレームを受信した後に、バックオフユニットがバックオフの処理を実行する。バックオフの処理は、ランダムアクセス用のサブチャネルの数Ｎをバックオフカウンタ値から差し引いて、新たなバックオフカウンタ値を取得することと、新たなバックオフカウンタ値が０又は負の数である場合、送受信機ユニットが、ランダムアクセス用のサブチャネルから１つのサブチャネルをランダムに選択し、次に当該サブチャネルにアクセスしてアップリンクフレームを送信することとを含む。上述の方法を用いることで、システムのアクセス効率が改善され、システムリソースの無駄が避けられる。
［実施形態４］
【０１２９】
図７は、本出願の実施形態４による、無線ローカルエリアネットワークのチャネルアクセス装置に関する概略ブロック図である。例えば、チャネルアクセス装置は局であるか、又は関連機能を実装する専用回路若しくはチップである。図７に示されるチャネルアクセス装置２００は、生成ユニット２０１、バックオフユニット２０２、処理ユニット２０３、及び送受信機ユニット２０４を含む。例えば、チャネルアクセス装置２００は、図１に示されるＡＰ又はＳＴＡ１からＳＴＡ３であってよい。
【０１３０】
生成ユニット２０１は、バックオフカウンタ値を生成するように構成されている。
【０１３１】
バックオフユニット２０２は、バックオフを実行してバックオフカウンタ値を更新するように構成されており、具体的には、送受信機ユニットが、フレーム間隔ＸＩＦＳの間にチャネルがアイドル状態であることを検出した後に、搬送波感知多元接続／衝突回避ＣＳＭＡ／ＣＡ方式を用いることでバックオフを実行すること、又は送受信機ユニットが、第１のトリガフレームを受信した後に、ＯＦＤＭＡ競合方式に従ってバックオフを実行することを含み、第１のトリガフレームはランダムアクセス用のサブチャネルの数Ｎを示し、Ｎは０より大きい又は０に等しい整数である。
【０１３２】
処理ユニット２０３は、バックオフカウンタ値が０より大きいかどうかを判定する判定処理を実行するように構成されている。
【０１３３】
送受信機ユニット２０４はさらに、チャネルアクセスを実行するように構成されており、段階Ｂ１を実行することでバックオフカウンタ値が０に減らされた場合、送受信機ユニットがチャネル全体を用いることでアップリンクフレームを送信する、又は段階Ｂ２を実行することでバックオフカウンタ値が０又は負の数に減らされた場合、送受信機ユニットが、ランダムアクセス用のサブチャネルにアクセスした後に、アップリンクフレームを送信することを含む。
【０１３４】
任意選択で、送受信機ユニットが、第１のトリガフレームを受信した後に、ＯＦＤＭＡ競合方式に従ってバックオフを実行することは、送受信機ユニットが、第１のトリガフレームを受信した後に、バックオフカウンタ値をβＮだけ減らすことを含み、ここでβは０より大きい又は０に等しい実数である。
【０１３５】
任意選択で、送受信機ユニットが、第１のトリガフレームを受信した後に、ＯＦＤＭＡ競合方式に従ってバックオフを実行することは、少なくとも３つの方法を含む。
【０１３６】
方法１．送受信機ユニットが第１のトリガフレームを受信した後に、バックオフカウンタ値が１だけ減らされる。
【０１３７】
方法２．送受信機ユニットが第１のトリガフレームを受信した後に、処理ユニットが第１のトリガフレームから利用可能なサブチャネルを読み出すたびに、バックオフカウンタ値が１だけ減らされる。
【０１３８】
方法３．送受信機ユニットが、ランダムアクセス用のサブチャネルから１つのサブチャネルをランダムに選択してアップリンクフレームを送信する、又は送受信機ユニットが、バックオフカウンタ値がちょうど０に減らされたサブチャネルを選択してアップリンクフレームを送信する。
【０１３９】
任意選択で、送受信機ユニットが、フレーム間隔ＸＩＦＳの間にチャネルがアイドル状態であることを検出した後に、搬送波感知多元接続／衝突回避ＣＳＭＡ／ＣＡ方式を用いることでバックオフを実行する段階は、送受信機ユニットが、フレーム間隔ＸＩＦＳの間にチャネルがアイドル状態であることを検出した後に、１つのタイムスロットの間にチャネルがアイドル状態である場合、チャネル状態がビジーに変わるまで、又はバックオフカウンタ値が０に減らされるまで、バックオフカウンタ値をαだけ減らす段階を含み、αは０より大きい又は０に等しい実数である。
【０１４０】
任意選択で、送受信機ユニットがチャネルアクセスを実行することはさらに、送受信機ユニットがアップリンクフレームの送信に失敗した場合、送受信機ユニットが第２のトリガフレームを受信することであって、第２のトリガフレームはアクセスポイントによって送信され、第２のトリガフレームは、コンテンションウィンドウ調整用のパラメータ又は目標コンテンションウィンドウＣＷｏ値を含む、受信することと、処理ユニットが、第２のトリガフレームを解析した後に、ＣＷｏを調整することであって、ＣＷｏは直交周波数分割多元接続ＯＦＤＭＡサブチャネル競合のコンテンションウィンドウである、調整することとを含む。
【０１４１】
具体的には、処理ユニットが、第２のトリガフレームを解析した後に、コンテンションウィンドウＣＷｏを調整することは、少なくとも３つの方法を含む。
【０１４２】
方法１．コンテンションウィンドウ調整用のパラメータを事前設定された閾値と比較し、当該パラメータが当該閾値より大きい場合はＣＷｏが増やされ、又は、当該パラメータが当該閾値より小さい若しくはそれと等しい場合はＣＷｏが変えずに維持される。
【０１４３】
方法２．コンテンションウィンドウ調整用のパラメータを事前設定された２つの閾値と比較し、当該パラメータが第１の閾値より大きい場合はＣＷｏが増やされ、当該パラメータが第２の閾値より大きい且つ第１の閾値より小さい若しくはそれと等しい場合はＣＷｏが変えずに維持され、又は、当該パラメータが第２の閾値より小さい若しくはそれと等しい場合はＣＷｏが減らされる。
【０１４４】
方法３．処理ユニットが、第２のトリガフレームを解析した後に、コンテンションウィンドウＣＷｏを調整することは具体的には、局が調整前のＣＷｏ値を目標ＣＷｏ値と比較することと、ＣＷｏが目標ＣＷｏ値より大きい場合はＣＷｏを減らし、ＣＷｏが目標ＣＷｏ値と等しい場合はＣＷｏを変えずに維持し、又は、ＣＷｏが目標ＣＷｏ値より小さい場合はＣＷｏを増やすこととを含む。
【０１４５】
本出願の本実施形態によると、無線ローカルエリアネットワークのチャネルアクセス処理において、１つのバックオフカウンタが、ＯＦＤＭＡサブチャネルアクセス及びＣＳＭＡ／ＣＡチャネルアクセスに用いられ、システムの複雑さが低減される。さらに、ＯＦＤＭＡサブチャネルアクセス処理において、ランダムチャネルアクセスが用いられ、システムのアクセス効率が改善される。
［実施形態５］
【０１４６】
これに対応して、実施形態５が、プロセッサを含むチャネルアクセスデバイスを提供する。特定のチャネルアクセス方法については、（図２〜図５に示されるような）上述の実施形態の方法を参照のこと。詳細はここで再度説明されない。プロセッサは、汎用プロセッサ、デジタル信号プロセッサ、特定用途向け集積回路、フィールドプログラマブルゲートアレイ、若しくは別のプログラマブル論理デバイス、個別のゲート若しくはトランジスタ論理デバイス、又は個別のハードウェアコンポーネントであってよく、プロセッサは、本出願の実施形態に開示された方法、段階、及び論理ブロック図を実装又は実行してよい。汎用プロセッサは、マイクロプロセッサ、又は任意の従来のプロセッサなどであってよい。本出願の実施形態を参照して開示された方法の各段階は、ハードウェアプロセッサによって直接実行されてよく、又は、プロセッサのハードウェアとソフトウェアモジュールとの組み合わせを用いることで実行されてよい。チャネルが競合する場合、上述のチャネルアクセスデバイスが局の中に位置し得ることは、理解しやすい。
【０１４７】
図８は、本出願の実施形態５によるチャネルアクセスデバイス局のブロック図である。インタフェース３０１、プロセッサ３０２、及びメモリ３０３が図８に含まれている。プロセッサ３０２は、局３００の動作を制御する。メモリ３０３は、リードオンリメモリ及びランダムアクセスメモリを含んでよく、命令及びデータをプロセッサ３０２に提供してよい。メモリ３０３の一部がさらに、不揮発性ランダムアクセスメモリ（ＮＶＲＡＭ）を含んでよい。局３００のコンポーネントが、バスシステム３０９を用いることで、共に結合されている。データバスに加えて、バスシステム３０９は、電力バス、制御バス、及びステータス信号バスを含む。しかし、説明を明確にする目的で、この図の様々な種類のバスがバスシステム３０９として表されている。
【０１４８】
上述の本出願の実施形態に開示されたチャネルアクセス方法は、プロセッサ３０２に適用されてよく、又はプロセッサ３０２によって実装されてよい。一実装プロセスにおいて、上述の方法の各段階は、プロセッサ３０２のハードウェアの統合ロジック回路、又はソフトウェアの形態の命令を用いることで遂行されてよい。プロセッサ３０２は、汎用プロセッサ、デジタル信号プロセッサ、特定用途向け集積回路、フィールドプログラマブルゲートアレイ、若しくは別のプログラマブル論理デバイス、個別のゲート若しくはトランジスタ論理デバイス、又は個別のハードウェアコンポーネントであってよく、プロセッサは、本出願の実施形態に開示された方法、段階、及び論理ブロック図を実装又は実行してよい。汎用プロセッサは、マイクロプロセッサ、又は任意の従来のプロセッサなどであってよい。本出願の実施形態を参照して開示された方法の各段階は、ハードウェアプロセッサによって直接実行されてよく、又は、プロセッサのハードウェアとソフトウェアモジュールとの組み合わせを用いることで実行されてよい。ソフトウェアモジュールが、ランダムアクセスメモリ、フラッシュメモリ、リードオンリメモリ、プログラマブルリードオンリメモリ、電気的消去可能プログラマブルメモリ、又はレジスタなど、当技術分野の成熟した記憶媒体に位置してよい。本記憶媒体はメモリ３０３に位置しており、プロセッサ３０２は、メモリ３０３から情報を読み出し、プロセッサのハードウェアと組み合わせて上述の方法の各段階を遂行する。
【０１４９】
上述の実施形態は、単に本出願の技術的解決法を説明することを意図しているだけであって、本出願を限定することを意図するものではない。本出願は上述の実施形態を参照して詳細に説明されているが、当業者は依然として、本出願の実施形態の技術的解決法の範囲から逸脱することなく、上述の実施形態で説明された技術的解決法に修正を行うことができ、又は、その一部の技術的特徴に均等な置換を行うことができることを理解されたい。
（項目１）
無線ローカルエリアネットワークに適用されるチャネルアクセス方法であって、
Ａ．局がバックオフカウンタ値を生成する段階であって、上記バックオフカウンタ値は、０以上ＣＷｏ以下の範囲からランダムに選択され、ＣＷｏは、直交周波数分割多元接続ＯＦＤＭＡサブチャネル競合のコンテンションウィンドウであり、ＣＷｏは０より大きい整数である、生成する段階と、
Ｂ．上記局が第１のトリガフレームを受信する段階であって、上記第１のトリガフレームはアクセスポイントによって送信され、上記第１のトリガフレームは、ランダムアクセス用のサブチャネルの数がＮであることを示し、Ｎは０より大きい又は０に等しい整数である、受信する段階と、
Ｃ．上記局がバックオフを実行する段階であって、上記バックオフの処理は、上記バックオフカウンタ値から、ランダムアクセス用の上記サブチャネルの数Ｎを差し引いて、新たなバックオフカウンタ値を取得する段階と、上記新たなバックオフカウンタ値が０又は負の数である場合は段階Ｄを実行し、又は上記新たなバックオフカウンタ値が０より大きい場合は段階Ｂを実行する段階とを含む、実行する段階と、
Ｄ．上記局がチャネルアクセスを実行する段階であって、上記局が、ランダムアクセス用の上記サブチャネルから１つのサブチャネルをランダムに選択して、アップリンクフレームを送信する段階を含む、実行する段階と
を備える、方法。
（項目２）
上記局がチャネルアクセスを上記実行する段階はさらに、
上記局が上記アップリンクフレームの送信に失敗した場合、上記局が第２のトリガフレームを受信する段階であって、上記第２のトリガフレームは上記アクセスポイントによって送信され、上記第２のトリガフレームはコンテンションウィンドウ調整用のパラメータ又は目標ＣＷｏ値を含む、受信する段階と、
上記局が、上記第２のトリガフレームを解析した後に、ＣＷｏを調整する段階と
を含む、項目１に記載の方法。
（項目３）
上記局が、上記第２のトリガフレームを解析した後に、ＣＷｏを上記調整する段階は、具体的には、
コンテンションウィンドウ調整用の上記パラメータを事前設定された閾値と比較する段階と、
上記パラメータが上記閾値より大きい場合はＣＷｏを増やし、又は、
上記パラメータが上記閾値より小さい若しくはそれと等しい場合はＣＷｏを変えずに維持する段階とを含む、項目２に記載の方法。
（項目４）
上記局が、上記第２のトリガフレームを解析した後に、ＣＷｏを上記調整する段階は、具体的には、
コンテンションウィンドウ調整用の上記パラメータを事前設定された２つの閾値と比較する段階と、
上記パラメータが第１の閾値より大きい場合はＣＷｏを増やし、
上記パラメータが第２の閾値より大きい且つ上記第１の閾値より小さい若しくはそれと等しい場合はＣＷｏを変えずに維持し、又は、
上記パラメータが上記第２の閾値より小さい若しくはそれと等しい場合はＣＷｏを減らす段階とを含む、項目２に記載の方法。
（項目５）
上記局が、上記第２のトリガフレームを解析した後に、ＣＷｏを上記調整する段階は、具体的には、
上記局が調整前のＣＷｏ値を上記目標ＣＷｏ値と比較する段階と、
ＣＷｏが上記目標ＣＷｏ値より大きい場合はＣＷｏを減らし、
ＣＷｏが上記目標ＣＷｏ値と等しい場合はＣＷｏを変えずに維持し、又は、
ＣＷｏが上記目標ＣＷｏ値より小さい場合はＣＷｏを増やす段階とを含む、項目２に記載の方法。
（項目６）
無線ローカルエリアネットワークに適用されるチャネルアクセス方法であって、
Ａ．局がバックオフカウンタ値を生成する段階と、
Ｂ．上記局がバックオフを実行し、上記バックオフカウンタ値を更新する段階であって、具体的には、
Ｂ１．上記局が、フレーム間隔ＸＩＦＳの間にチャネルがアイドル状態であることを検出した後に、搬送波感知多元接続／衝突回避ＣＳＭＡ／ＣＡ方式を用いることでバックオフを実行する段階、又は、
Ｂ２．上記局が、第１のトリガフレームを受信した後に、ＯＦＤＭＡ競合方式に従ってバックオフを実行する段階であって、上記第１のトリガフレームはランダムアクセス用のサブチャネルの数Ｎを示し、Ｎは０より大きい又は０に等しい整数である、実行する段階を含み、
段階Ｂ１及び段階Ｂ２では、同じバックオフカウンタを用いることでバックオフが実行され、更新された上記バックオフカウンタ値が０又は負の数である場合は段階Ｃが実行され、更新された上記バックオフカウンタ値が０より大きい場合は段階Ｂが実行される、更新する段階と、
Ｃ．上記局がチャネルアクセスを実行する段階であって、具体的には、
段階Ｂ１を実行することで上記バックオフカウンタ値が０に減らされた場合、上記局がチャネル全体を用いることでアップリンクフレームを送信する段階、又は、
段階Ｂ２を実行することで上記バックオフカウンタ値が０又は負の数に減らされた場合、上記局が、ランダムアクセス用のサブチャネルにアクセスした後に、アップリンクフレームを送信する段階
を含む、実行する段階と
を備える方法。
（項目７）
上記局が、第１のトリガフレームを受信した後に、ＯＦＤＭＡ競合方式に従ってバックオフを上記実行する段階は、
上記局が、上記第１のトリガフレームを受信した後に、上記バックオフカウンタ値をβＮだけ減らす段階を含み、βは０より大きい又は０に等しい実数である、項目６に記載の方法。
（項目８）
上記局が、第１のトリガフレームを受信した後に、ＯＦＤＭＡ競合方式に従ってバックオフを上記実行する段階は、
上記局が、上記第１のトリガフレームを受信した後に、上記バックオフカウンタ値を１だけ減らす段階を含む、項目６に記載の方法。
（項目９）
上記局が、第１のトリガフレームを受信した後に、ＯＦＤＭＡ競合方式に従ってバックオフを上記実行する段階は、
上記局が、上記第１のトリガフレームを受信した後に、上記局が上記第１のトリガフレームから利用可能なサブチャネルを読み出すたびに、上記バックオフカウンタ値を１だけ減らす段階を含む、項目６に記載の方法。
（項目１０）
上記局が、サブチャネルにアクセスした後に、アップリンクフレームを上記送信する段階は、
上記局が、ランダムアクセス用の上記サブチャネルから１つのサブチャネルをランダムに選択して、上記アップリンクフレームを送信する段階、又は、
上記局が、上記バックオフカウンタ値がちょうど０に減らされたサブチャネルを選択して、上記アップリンクフレームを送信する段階
を含む、項目６から９のいずれか一項に記載の方法。
（項目１１）
上記局が、フレーム間隔ＸＩＦＳの間にチャネルがアイドル状態であることを検出した後に、搬送波感知多元接続／衝突回避ＣＳＭＡ／ＣＡ方式を用いることでバックオフを上記実行する段階は、
上記局が、フレーム間隔ＸＩＦＳの間にチャネルがアイドル状態であることを検出した後に、１つのタイムスロットの間に上記チャネルがアイドル状態である場合、チャネル状態がビジーに変わるまで、又は上記バックオフカウンタ値が０に減らされるまで、上記バックオフカウンタ値をαだけ減らす段階を含み、αは０より大きい又は０に等しい実数である、項目６から１０のいずれか一項に記載の方法。
（項目１２）
上記局がチャネルアクセスを上記実行する段階はさらに、
上記局が上記アップリンクフレームの送信に失敗した場合、上記局が第２のトリガフレームを受信する段階であって、上記第２のトリガフレームはアクセスポイントによって送信され、上記第２のトリガフレームは、コンテンションウィンドウ調整用のパラメータ又は目標コンテンションウィンドウＣＷｏ値を含む、受信する段階と、
上記局が、上記第２のトリガフレームを解析した後に、ＣＷｏを調整する段階であって、ＣＷｏは直交周波数分割多元接続ＯＦＤＭＡサブチャネル競合のコンテンションウィンドウである、調整する段階と
を含む、項目１１に記載の方法。
（項目１３）
上記局が、上記第２のトリガフレームを解析した後に、コンテンションウィンドウＣＷｏを上記調整する段階は、具体的には、
コンテンションウィンドウ調整用の上記パラメータを事前設定された閾値と比較する段階と、
上記パラメータが上記閾値より大きい場合はＣＷｏを増やし、又は、
上記パラメータが上記閾値より小さい若しくはそれと等しい場合はＣＷｏを変えずに維持する段階とを含む、項目１２に記載の方法。
（項目１４）
上記局が、上記第２のトリガフレームを解析した後に、コンテンションウィンドウＣＷｏを上記調整する段階は、具体的には、
コンテンションウィンドウ調整用の上記パラメータを事前設定された２つの閾値と比較する段階と、
上記パラメータが第１の閾値より大きい場合はＣＷｏを増やし、
上記パラメータが第２の閾値より大きい且つ上記第１の閾値より小さい若しくはそれと等しい場合はＣＷｏを変えずに維持し、又は、
上記パラメータが上記第２の閾値より小さい若しくはそれと等しい場合はＣＷｏを減らす段階とを含む、項目１２に記載の方法。
（項目１５）
上記局が、上記第２のトリガフレームを解析した後に、コンテンションウィンドウＣＷｏを上記調整する段階は、具体的には、
上記局が調整前のＣＷｏ値を上記目標ＣＷｏ値と比較する段階と、
ＣＷｏが上記目標ＣＷｏ値より大きい場合はＣＷｏを減らし、
ＣＷｏが上記目標ＣＷｏ値と等しい場合はＣＷｏを変えずに維持し、又は、
ＣＷｏが上記目標ＣＷｏ値より小さい場合はＣＷｏを増やす段階とを含む、項目１２に記載の方法。
（項目１６）
無線ローカルエリアネットワークに適用されるチャネルアクセス装置であって、
バックオフカウンタ値を生成するように構成された生成ユニットであって、上記バックオフカウンタ値は０以上ＣＷｏ以下の範囲からランダムに選択され、ＣＷｏは直交周波数分割多元接続ＯＦＤＭＡサブチャネル競合のコンテンションウィンドウであり、ＣＷｏは０より大きい整数である、生成ユニットと、
バックオフを実行するように構成されたバックオフユニットであって、上記バックオフの処理は、上記バックオフカウンタ値から、ランダムアクセス用の上記サブチャネルの数Ｎを差し引いて、新たなバックオフカウンタ値を取得することを含む、バックオフユニットと、
上記バックオフカウンタ値が０より大きいかどうかを判定する判定処理を実行するように構成された処理ユニットと、
第１のトリガフレームを受信するように構成された送受信機ユニットであって、上記第１のトリガフレームはアクセスポイントによって送信され、上記第１のトリガフレームは、ランダムアクセス用の上記サブチャネルの数がＮであることを示し、Ｎは０より大きい又は０に等しい整数である、送受信機ユニットと
を備え、
上記送受信機ユニットはさらに、ランダムアクセス用の上記サブチャネルの１つのサブチャネルで、アップリンクフレームを送信することを含むチャネルアクセスを実行するように構成されている、
装置。
（項目１７）
上記送受信機ユニットがチャネルアクセスを上記実行することはさらに、
上記送受信機ユニットが上記アップリンクフレームの送信に失敗した場合、上記送受信機ユニットが第２のトリガフレームを受信することであって、上記第２のトリガフレームは上記アクセスポイントによって送信され、上記第２のトリガフレームはコンテンションウィンドウ調整用のパラメータ又は目標ＣＷｏ値を含む、受信することと、
上記処理ユニットが、上記第２のトリガフレームを解析した後に、ＣＷｏを調整することと
を含む、項目１６に記載の装置。
（項目１８）
上記処理ユニットが、上記第２のトリガフレームを解析した後に、ＣＷｏを上記調整することは、具体的には、
コンテンションウィンドウ調整用の上記パラメータを事前設定された閾値と比較することと、
上記パラメータが上記閾値より大きい場合はＣＷｏを増やし、又は、
上記パラメータが上記閾値より小さい若しくはそれと等しい場合はＣＷｏを変えずに維持することとを含む、項目１７に記載の装置。
（項目１９）
上記処理ユニットが、上記第２のトリガフレームを解析した後に、ＣＷｏを上記調整することは、具体的には、
コンテンションウィンドウ調整用の上記パラメータを事前設定された２つの閾値と比較することと、
上記パラメータが第１の閾値より大きい場合はＣＷｏを増やし、
上記パラメータが第２の閾値より大きい且つ上記第１の閾値より小さい若しくはそれと等しい場合はＣＷｏを変えずに維持し、又は、
上記パラメータが上記第２の閾値より小さい若しくはそれと等しい場合はＣＷｏを減らすこととを含む、項目１７に記載の装置。
（項目２０）
上記処理ユニットが、上記第２のトリガフレームを解析した後に、ＣＷｏを上記調整することは、具体的には、
局が調整前のＣＷｏ値を上記目標ＣＷｏ値と比較することと、
ＣＷｏが上記目標ＣＷｏ値より大きい場合はＣＷｏを減らし、
ＣＷｏが上記目標ＣＷｏ値と等しい場合はＣＷｏを変えずに維持し、又は、
ＣＷｏが上記目標ＣＷｏ値より小さい場合はＣＷｏを増やすこととを含む、項目１７に記載の装置。
（項目２１）
無線ローカルエリアネットワークに適用されるチャネルアクセス装置であって、
バックオフカウンタ値を生成するように構成された生成ユニットと、
バックオフを実行して上記バックオフカウンタ値を更新するように構成されたバックオフユニットであって、この処理は具体的には、
送受信機ユニットが、フレーム間隔ＸＩＦＳの間にチャネルがアイドル状態であることを検出した後に、搬送波感知多元接続／衝突回避ＣＳＭＡ／ＣＡ方式を用いることでバックオフを実行すること、又は送受信機ユニットが、第１のトリガフレームを受信した後に、ＯＦＤＭＡ競合方式に従ってバックオフを実行することを含み、上記第１のトリガフレームはランダムアクセス用のサブチャネルの数Ｎを示し、Ｎは０より大きい又は０に等しい整数である、バックオフユニットと、
上記バックオフカウンタ値が０より大きいかどうかを判定する判定処理を実行するように構成された処理ユニットと
を備え、
上記送受信機ユニットはさらに、
段階Ｂ１を実行することで上記バックオフカウンタ値が０に減らされた場合、上記送受信機ユニットがチャネル全体を用いることでアップリンクフレームを送信すること、又は、
段階Ｂ２を実行することで上記バックオフカウンタ値が０又は負の数に減らされた場合、上記送受信機ユニットが、ランダムアクセス用のサブチャネルにアクセスした後に、アップリンクフレームを送信すること
を含むチャネルアクセスを実行するように構成されている、装置。
（項目２２）
送受信機ユニットが、第１のトリガフレームを受信した後に、ＯＦＤＭＡ競合方式に従ってバックオフを上記実行することは、
上記送受信機ユニットが、上記第１のトリガフレームを受信した後に、上記バックオフカウンタ値をβＮだけ減らすことを含み、βは０より大きい又は０に等しい実数である、項目２１に記載の装置。
（項目２３）
送受信機ユニットが、第１のトリガフレームを受信した後に、ＯＦＤＭＡ競合方式に従ってバックオフを上記実行することは、
上記送受信機ユニットが、上記第１のトリガフレームを受信した後に、上記バックオフカウンタ値を１だけ減らすことを含む、項目２１に記載の装置。
（項目２４）
送受信機ユニットが、第１のトリガフレームを受信した後に、ＯＦＤＭＡ競合方式に従ってバックオフを上記実行することは、
上記送受信機ユニットが、上記第１のトリガフレームを受信した後に、上記処理ユニットが上記第１のトリガフレームから利用可能なサブチャネルを読み出すたびに、上記バックオフカウンタ値を１だけ減らすことを含む、項目２１に記載の装置。
（項目２５）
上記送受信機ユニットが、サブチャネルにアクセスした後に、アップリンクフレームを上記送信することは、
上記送受信機ユニットが、ランダムアクセス用の上記サブチャネルから１つのサブチャネルをランダムに選択して、上記アップリンクフレームを送信すること、又は、
上記送受信機ユニットが、上記バックオフカウンタ値がちょうど０に減らされたサブチャネルを選択して、上記アップリンクフレームを送信すること
を含む、項目２１から２４のいずれか一項に記載の装置。
（項目２６）
送受信機ユニットが、フレーム間隔ＸＩＦＳの間にチャネルがアイドル状態であることを検出した後に、搬送波感知多元接続／衝突回避ＣＳＭＡ／ＣＡ方式を用いることでバックオフを上記実行することは、
上記送受信機ユニットが、フレーム間隔ＸＩＦＳの間にチャネルがアイドル状態であることを検出した後に、１つのタイムスロットの間に上記チャネルがアイドル状態である場合、チャネル状態がビジーに変わるまで、又は上記バックオフカウンタ値が０に減らされるまで、上記バックオフカウンタ値をαだけ減らすことを含み、αは０より大きい又は０に等しい実数である、項目２１から２５のいずれか一項に記載の装置。
（項目２７）
上記送受信機ユニットがチャネルアクセスを上記実行することはさらに、
上記送受信機ユニットが上記アップリンクフレームの送信に失敗した場合、上記送受信機ユニットが第２のトリガフレームを受信することであって、上記第２のトリガフレームはアクセスポイントによって送信され、上記第２のトリガフレームは、コンテンションウィンドウ調整用のパラメータ又は目標コンテンションウィンドウＣＷｏ値を含む、受信することと、
上記処理ユニットが、上記第２のトリガフレームを解析した後に、ＣＷｏを調整することであって、ＣＷｏは直交周波数分割多元接続ＯＦＤＭＡサブチャネル競合のコンテンションウィンドウである、調整することと
を含む、項目２６に記載の装置。
（項目２８）
上記処理ユニットが、上記第２のトリガフレームを解析した後に、コンテンションウィンドウＣＷｏを上記調整することは、具体的には、
コンテンションウィンドウ調整用の上記パラメータを事前設定された閾値と比較することと、
上記パラメータが上記閾値より大きい場合はＣＷｏを増やし、又は、
上記パラメータが上記閾値より小さい若しくはそれと等しい場合はＣＷｏを変えずに維持することとを含む、項目２７に記載の装置。
（項目２９）
上記処理ユニットが、上記第２のトリガフレームを解析した後に、コンテンションウィンドウＣＷｏを上記調整することは、具体的には、
コンテンションウィンドウ調整用の上記パラメータを事前設定された２つの閾値と比較することと、
上記パラメータが第１の閾値より大きい場合はＣＷｏを増やし、
上記パラメータが第２の閾値より大きい且つ上記第１の閾値より小さい若しくはそれと等しい場合はＣＷｏを変えずに維持し、
又は、上記パラメータが上記第２の閾値より小さい若しくはそれと等しい場合はＣＷｏを減らすこととを含む、項目２７に記載の装置。
（項目３０）
上記処理ユニットが、上記第２のトリガフレームを解析した後に、コンテンションウィンドウＣＷｏを上記調整することは、具体的には、
局が調整前のＣＷｏ値を上記目標ＣＷｏ値と比較することと、
ＣＷｏが上記目標ＣＷｏ値より大きい場合はＣＷｏを減らし、
ＣＷｏが上記目標ＣＷｏ値と等しい場合はＣＷｏを変えずに維持し、又は、
ＣＷｏが上記目標ＣＷｏ値より小さい場合はＣＷｏを増やすこととを含む、項目２７に記載の装置。
【外国語明細書】
2020061775000001.pdf